(57)【特許請求の範囲】
【請求項１】
無線通信システムにおいてＭＴＣ（ｍａｃｈｉｎｅ  ｔｙｐｅ  ｃｏｍｍｕｎｉｃａｔｉｏｎ）端末が信号を受信する方法であって、
下りリンク帯域に含まれた複数のサブバンドに対する周波数ホッピング情報を取得するステップと、
前記周波数ホッピング情報に基づいて下りリンク信号をそれぞれ異なったサブバンドで反復して受信するステップと、
を含み、
前記下りリンク帯域は、それぞれが６ＲＢ（ｒｅｓｏｕｒｃｅ  ｂｌｏｃｋ）サイズに設定された
【数１】
0006434043.tif 000025
個のサブバンドを含み、’ＮRB’は前記下りリンク帯域に含まれるＲＢの個数、
【数２】
0006434043.tif 000026
は床（ｆｌｏｏｒ）関数を表し、
前記下りリンク帯域のうち、前記
【数３】
0006434043.tif 000027
個のサブバンドに属しない６ＲＢサイズ未満の残る帯域が存在する場合、前記下りリンク帯域の最下位インデックスＲＢ、最上位インデックスＲＢ、及びサブバンドグループの間に位置しているインターベニング（ｉｎｔｅｒｖｅｎｉｎｇ）ＲＢの少なくとも一つが前記残る帯域として設定され、
下りリンク信号がＭＴＣ  物理下りリンク共有チャネル（ＰＤＳＣＨ）を含み、
ＭＴＣ  ＰＤＳＣＨの周波数ホッピングパターンがＭＴＣ  ＰＤＳＣＨによって運ばれるデータに基づいて決定される、下りリンク信号受信方法。
【請求項２】
前記残る帯域が偶数個のＲＢを含む場合、前記偶数個のＲＢは前記下りリンク帯域の最下位帯域と最上位帯域に均等に分けて配置される、請求項１に記載の下りリンク信号受信方法。
【請求項３】
前記インターベニングＲＢは、前記
【数４】
0006434043.tif 000028
個のサブバンドのうち、連続する下位サブバンドのグループと連続する上位サブバンドのグループとの間に配置される、請求項１に記載の下りリンク信号受信方法。
【請求項４】
前記
【数５】
0006434043.tif 000029
個のサブバンドのうち、前記下りリンク信号が受信される周波数ホッピングサブバンドの個数は、２又は４に設定される、請求項１に記載の下りリンク信号受信方法。
【請求項５】
ＭＴＣ  ＰＤＳＣＨによって運ばれるデータがＳＩＢ  １（ｓｙｓｔｅｍ  ｉｎｆｏｒｍａｔｉｏｎ  ｂｌｏｃｋ  ｔｙｐｅ  １）以外のＳＩＢ−ｘである場合（ｘ＞１）、前記ＳＩＢ−ｘに対する前記周波数ホッピング情報は前記ＳＩＢ  １を通じて受信される、請求項１に記載の下りリンク信号受信方法。
【請求項６】
前記ＳＩＢ  １は周波数ホッピングによって反復受信され、
前記ＳＩＢ  １に含まれた前記周波数ホッピング情報は、前記ＳＩＢ−ｘに対する周波数ホッピングが活性化されたか否か、及び前記ＳＩＢ−ｘが送信されるサブバンドを示す、請求項５に記載の下りリンク信号受信方法。
【請求項７】
前記下りリンク信号を受信するステップは、
ＭＴＣ  ＰＤＣＣＨ（ｐｈｙｓｉｃａｌ  ｄｏｗｎｌｉｎｋ  ｃｏｎｔｒｏｌ  ｃｈａｎｎｅｌ）を反復受信するステップと、
前記ＭＴＣ  ＰＤＣＣＨによってスケジュールされた前記ＭＴＣ  ＰＤＳＣＨを反復受信するステップと、を含み、
前記ＭＴＣ  ＰＤＣＣＨと前記ＭＴＣ  ＰＤＳＣＨは、それぞれ異なったサブフレーム及びそれぞれ異なった周波数ホッピングサブバンドで受信される、請求項１に記載の下りリンク信号受信方法。
【請求項８】
前記ＭＴＣ  ＰＤＣＣＨの反復受信が始まる初期周波数ホッピングサブバンドは、基地局によって設定され、
前記ＭＴＣ  ＰＤＳＣＨが受信されるサブバンドは、前記ＭＴＣ  ＰＤＣＣＨが受信されるサブバンドに基づいて決定される、請求項７に記載の下りリンク信号受信方法。
【請求項９】
無線通信システムにおけるＭＴＣ（ｍａｃｈｉｎｅ  ｔｙｐｅ  ｃｏｍｍｕｎｉｃａｔｉｏｎ）端末であって、
下りリンク帯域に含まれた複数のサブバンドに対する周波数ホッピング情報を取得するプロセッサと、
前記周波数ホッピング情報に基づいて下りリンク信号をそれぞれ異なったサブバンドで反復して受信する受信機と、
を備え、
前記下りリンク帯域は、それぞれが６ＲＢ（ｒｅｓｏｕｒｃｅ  ｂｌｏｃｋ）サイズに設定された
【数６】
0006434043.tif 000030
個のサブバンドを含み、’ＮRB’は前記下りリンク帯域に含まれるＲＢの個数、
【数７】
0006434043.tif 000031
は床（ｆｌｏｏｒ）関数を表し、
前記下りリンク帯域のうち、前記
【数８】
0006434043.tif 000032
個のサブバンドに属しない６ＲＢサイズ未満の残る帯域が存在する場合、前記下りリンク帯域の最下位インデックスＲＢ、最上位インデックスＲＢ、及びサブバンドグループの間に位置しているインターベニング（ｉｎｔｅｒｖｅｎｉｎｇ）ＲＢの少なくとも一つが前記残る帯域として設定され、
下りリンク信号がＭＴＣ  物理下りリンク共有チャネル（ＰＤＳＣＨ）を含み、
ＭＴＣ  ＰＤＳＣＨの周波数ホッピングパターンがＭＴＣ  ＰＤＳＣＨによって運ばれるデータに基づいて決定される、ＭＴＣ端末。
【請求項１０】
無線通信システムにおいて基地局がＭＴＣ（ｍａｃｈｉｎｅ  ｔｙｐｅ  ｃｏｍｍｕｎｉｃａｔｉｏｎ）端末に信号を送信する方法であって、
下りリンク帯域に含まれた複数のサブバンドに対する周波数ホッピング情報を送信するステップと、
前記周波数ホッピング情報に基づいて下りリンク信号をそれぞれ異なったサブバンドで反復して送信するステップと、
を含み、
前記下りリンク帯域は、それぞれが６ＲＢ（ｒｅｓｏｕｒｃｅ  ｂｌｏｃｋ）サイズに設定された
【数９】
0006434043.tif 000033
個のサブバンドを含み、’ＮRB’は前記下りリンク帯域に含まれるＲＢの個数、
【数１０】
0006434043.tif 000034
は床（ｆｌｏｏｒ）関数を表し、
前記下りリンク帯域のうち、前記
【数１１】
0006434043.tif 000035
個のサブバンドに属しない６ＲＢサイズ未満の残る帯域が存在する場合、前記下りリンク帯域の最下位インデックスＲＢ、最上位インデックスＲＢ、及びサブバンドグループの間に位置しているインターベニング（ｉｎｔｅｒｖｅｎｉｎｇ）ＲＢの少なくとも一つが前記残る帯域として設定され、
下りリンク信号がＭＴＣ  物理下りリンク共有チャネル（ＰＤＳＣＨ）を含み、
ＭＴＣ  ＰＤＳＣＨの周波数ホッピングパターンがＭＴＣ  ＰＤＳＣＨによって運ばれるデータに基づいて決定される、下りリンク信号送信方法。
【請求項１１】
前記インターベニングＲＢは、前記
【数１２】
0006434043.tif 000036
個のサブバンドのうち、連続する下位サブバンドのグループと連続する上位サブバンドのグループとの間に配置され、
前記残る帯域が偶数個のＲＢを含む場合、前記偶数個のＲＢは前記下りリンク帯域の最下位帯域と最上位帯域に均等に分けて配置される、請求項１０に記載の下りリンク信号送信方法。
【請求項１２】
前記
【数１３】
0006434043.tif 000037
個のサブバンドのうち、前記下りリンク信号が送信される周波数ホッピングサブバンドの個数は、２又は４に設定される、請求項１０に記載の下りリンク信号送信方法。
【請求項１３】
前記下りリンク信号がＳＩＢ  １（ｓｙｓｔｅｍ  ｉｎｆｏｒｍａｔｉｏｎ  ｂｌｏｃｋ  ｔｙｐｅ  １）以外のＳＩＢ−ｘである場合（ｘ＞１）、前記ＳＩＢ−ｘに対する前記周波数ホッピング情報は、前記ＳＩＢ  １を通じて送信される、請求項１０に記載の下りリンク信号送信方法。
【請求項１４】
前記ＳＩＢ  １は周波数ホッピングによって反復送信され、
前記ＳＩＢ  １に含まれた前記周波数ホッピング情報は、前記ＳＩＢ−ｘに対する周波数ホッピングが活性化されたか否か、及び前記ＳＩＢ−ｘが送信されるサブバンドを示す、請求項１３に記載の下りリンク信号送信方法。
【請求項１５】
前記下りリンク信号を送信するステップは、
ＭＴＣ  ＰＤＣＣＨ（ｐｈｙｓｉｃａｌ  ｄｏｗｎｌｉｎｋ  ｃｏｎｔｒｏｌ  ｃｈａｎｎｅｌ）を反復送信するステップと、
前記ＭＴＣ  ＰＤＣＣＨによってスケジュールされた前記ＭＴＣ  ＰＤＳＣＨを反復送信するステップと、を含み、
前記ＭＴＣ  ＰＤＣＣＨと前記ＭＴＣ  ＰＤＳＣＨは、それぞれ異なったサブフレーム及びそれぞれ異なった周波数ホッピングサブバンドで送信される、請求項１０に記載の下りリンク信号送信方法。
【請求項１６】
前記ＭＴＣ  ＰＤＣＣＨの反復送信が始まる初期周波数ホッピングサブバンドは、前記基地局によって設定され、
前記ＭＴＣ  ＰＤＳＣＨが送信されるサブバンドは、前記ＭＴＣ  ＰＤＣＣＨが送信されるサブバンドに基づいて決定される、請求項１５に記載の下りリンク信号送信方法。
【発明の詳細な説明】
【技術分野】
【０００１】
本発明は、ＭＴＣ（Ｍａｃｈｉｎｅ  Ｔｙｐｅ  Ｃｏｍｍｕｎｉｃａｔｉｏｎ）を支援する無線通信システムにおいてＭＴＣ信号を送信又は受信する方法及びこれを行うＭＴＣ端末及び基地局に関する。
【背景技術】
【０００２】
無線通信システムが音声やデータなどのような種々の通信サービスを提供するために広範囲に展開されている。一般に、無線通信システムは、可用のシステムリソース（帯域幅、送信電力など）を共有して複数のユーザとの通信を支援できる多元接続（ｍｕｌｔｉｐｌｅ  ａｃｃｅｓｓ）システムである。多元接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システム、ＭＣ−ＦＤＭＡ（ｍｕｌｔｉ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。無線通信システムにおいて、端末は、基地局から下りリンク（ｄｏｗｎｌｉｎｋ；ＤＬ）で情報を受信することができ、上りリンク（ｕｐｌｉｎｋ；ＵＬ）で基地局に情報を送信することができる。端末の送信又は受信する情報にはデータ及び種々の制御情報があり、端末が送信又は受信する情報の種類及び用途によって様々な物理チャネルが存在する。
【発明の概要】
【発明が解決しようとする課題】
【０００３】
本発明が遂げようとする技術的課題は、ＭＴＣを支援する無線通信システムにおいてＭＴＣ信号を周波数ホッピングに基づいて反復的に送信又は受信する方法及びこれを行う装置を提供することにある。
【０００４】
本発明で遂げようとする技術的課題は、以上で言及した技術的課題に制限されず、言及していない他の技術的課題は、以下の記載から、本発明の属する技術の分野における通常の知識を有する者に明確に理解されるであろう。
【課題を解決するための手段】
【０００５】
上述した技術的課題を達成するための本発明の一側面による、無線通信システムにおいてＭＴＣ（ｍａｃｈｉｎｅ  ｔｙｐｅ  ｃｏｍｍｕｎｉｃａｔｉｏｎ）端末が下りリンク信号を受信する方法は、下りリンク帯域に含まれた複数のサブバンドに対する周波数ホッピング情報を取得するステップと、前記周波数ホッピング情報に基づいて下りリンク信号をそれぞれ異なったサブバンドで反復受信するステップとを含み、前記下りリンク帯域は、それぞれが６ＲＢ（ｒｅｓｏｕｒｃｅ  ｂｌｏｃｋ）サイズに設定された
【数１】
0006434043.tif 000002
個のサブバンドを含み、‘ＮRB’は前記下りリンク帯域のサイズ、‘
【数２】
0006434043.tif 000003
’は床（ｆｌｏｏｒ）関数を表し、前記下りリンク帯域のうち、前記
【数３】
0006434043.tif 000004
個のサブバンドに属しない６ＲＢサイズ未満の残る帯域が存在する場合、前記下りリンク帯域の最下位インデックスＲＢ、最上位インデックスＲＢ、及びサブバンドグループの間に位置しているインターベニング（ｉｎｔｅｒｖｅｎｉｎｇ）ＲＢの少なくとも一つが前記残る帯域として設定される。
【０００６】
上述した技術的課題を達成するための本発明の他の側面による、無線通信システムにおけるＭＴＣ（ｍａｃｈｉｎｅ  ｔｙｐｅ  ｃｏｍｍｕｎｉｃａｔｉｏｎ）端末は、下りリンク帯域に含まれた複数のサブバンドに対する周波数ホッピング情報を取得するプロセッサと、前記周波数ホッピング情報に基づいて下りリンク信号をそれぞれ異なったサブバンドで反復受信する受信機とを備え、前記下りリンク帯域は、それぞれが６ＲＢ（ｒｅｓｏｕｒｃｅ  ｂｌｏｃｋ）サイズに設定された
【数４】
0006434043.tif 000005
個のサブバンドを含み、‘ＮRB’は前記下りリンク帯域のサイズ、‘
【数５】
0006434043.tif 000006
’は床（ｆｌｏｏｒ）関数を表し、前記下りリンク帯域のうち、前記
【数６】
0006434043.tif 000007
個のサブバンドに属しない６ＲＢサイズ未満の残る帯域が存在する場合、前記下りリンク帯域の最下位インデックスＲＢ、最上位インデックスＲＢ、及びサブバンドグループの間に位置しているインターベニング（ｉｎｔｅｒｖｅｎｉｎｇ）ＲＢの少なくとも一つが前記残る帯域として設定される。
【０００７】
上述した技術的課題を達成するための本発明の更に他の側面による、無線通信システムにおいて基地局がＭＴＣ（ｍａｃｈｉｎｅ  ｔｙｐｅ  ｃｏｍｍｕｎｉｃａｔｉｏｎ）端末に下りリンク信号を送信する方法は、下りリンク帯域に含まれた複数のサブバンドに対する周波数ホッピング情報を送信するステップと、前記周波数ホッピング情報に基づいて下りリンク信号をそれぞれ異なったサブバンドで反復送信するステップとを含み、前記下りリンク帯域は、それぞれが６ＲＢ（ｒｅｓｏｕｒｃｅ  ｂｌｏｃｋ）サイズに設定された
【数７】
0006434043.tif 000008
個のサブバンドを含み、‘ＮRB’は前記下りリンク帯域のサイズ、‘
【数８】
0006434043.tif 000009
’は床（ｆｌｏｏｒ）関数を表し、前記下りリンク帯域のうち、前記
【数９】
0006434043.tif 000010
個のサブバンドに属しない６ＲＢサイズ未満の残る帯域が存在する場合、前記下りリンク帯域の最下位インデックスＲＢ、最上位インデックスＲＢ、及びサブバンドグループの間に位置しているインターベニング（ｉｎｔｅｒｖｅｎｉｎｇ）ＲＢの少なくとも一つが前記残る帯域として設定される。
【０００８】
好ましくは、前記残る帯域が偶数個のＲＢを含む場合、前記偶数個のＲＢは前記下りリンク帯域の最下位帯域と最上位帯域に均等に分けて配置されてもよい。
【０００９】
好ましくは、前記インターベニングＲＢは、前記
【数１０】
0006434043.tif 000011
個のサブバンドのうち、連続する下位サブバンドのグループと連続する上位サブバンドのグループとの間に配置されてもよい。
【００１０】
好ましくは、前記
【数１１】
0006434043.tif 000012
個のサブバンドのうち、前記下りリンク信号が受信される周波数ホッピングサブバンドの個数は、２又は４に設定されてもよい。
【００１１】
好ましくは、前記下りリンク信号がＳＩＢ  １（ｓｙｓｔｅｍ  ｉｎｆｏｒｍａｔｉｏｎ  ｂｌｏｃｋ  ｔｙｐｅ  １）以外のＳＩＢ−ｘである場合（ｘ＞１）、前記ＳＩＢ−ｘに対する前記周波数ホッピング情報は前記ＳＩＢ  １を通じて受信されてもよい。より好ましくは、前記ＳＩＢ  １は周波数ホッピングによって反復受信され、前記ＳＩＢ  １に含まれた前記周波数ホッピング情報は、前記ＳＩＢ−ｘに対する周波数ホッピングが活性化されたか否か、及び前記ＳＩＢ−ｘが送信されるサブバンドを示すことができる。
【００１２】
好ましくは、前記ＭＴＣ端末は、ＭＴＣ  ＰＤＣＣＨ（ｐｈｙｓｉｃａｌ  ｄｏｗｎｌｉｎｋ  ｃｏｎｔｒｏｌ  ｃｈａｎｎｅｌ）を反復受信し、前記ＭＴＣ  ＰＤＣＣＨによってスケジュールされたＭＴＣ  ＰＤＳＣＨ（ｐｈｙｓｉｃａｌ  ｄｏｗｎｌｉｎｋ  ｓｈａｒｅｄ  ｃｈａｎｎｅｌ）を反復受信し、前記ＭＴＣ  ＰＤＣＣＨと前記ＭＴＣ  ＰＤＳＣＨは、それぞれ異なったサブフレーム及びそれぞれ異なった周波数ホッピングサブバンドで受信されてもよい。より好ましくは、前記ＭＴＣ  ＰＤＣＣＨの反復受信が始まる初期周波数ホッピングサブバンドは基地局によって設定され、前記ＭＴＣ  ＰＤＳＣＨが受信されるサブバンドは、前記ＭＴＣ  ＰＤＣＣＨが受信されるサブバンドに基づいて決定されてもよい。
【発明の効果】
【００１３】
本発明の実施例らによれば、ＭＴＣを支援する無線通信システムでＭＴＣ信号が伝送されるサブバンドが周波数ホッピングされることにしたがって、ＭＴＣ信号の反復送受信の性能が向上して、劣悪な無線チャネル環境でもＭＴＣ端末がＭＴＣ信号を送受信できる。
【００１４】
本発明から得られる効果は以上で言及した効果に制限されず、言及していない他の効果は、以下の記載から、本発明の属する技術の分野における通常の知識を有する者に明確に理解されるであろう。
【図面の簡単な説明】
【００１５】
本発明に関する理解を助けるために詳細な説明の一部として含まれる添付の図面は、本発明に関する実施例を提供し、詳細な説明と共に本発明の技術的思想を説明する。
【図１】ＬＴＥ（−Ａ）システムに用いられる物理チャネル及びこれらのチャネルを用いた一般的な信号送信方法を例示する図である。
【図２】ＬＴＥ（−Ａ）システムに用いられる無線フレームの構造を例示する図である。
【図３】スロットのリソースグリッドを例示する図である。
【図４】下りリンクサブフレーム（ｓｕｂｆｒａｍｅ、ＳＦ）の構造を例示する図である。
【図５】サブフレームにＥ−ＰＤＣＣＨ（Ｅｎｈａｎｃｅｄ  ＰＤＣＣＨ）を割り当てる例を示す図である。
【図６】上りリンクサブフレームの構造を例示する図である。
【図７】不連続受信（Ｄｉｓｃｏｎｔｉｎｕｏｕｓ  Ｒｅｃｅｐｔｉｏｎ：ＤＲＸ）を例示する図である。
【図８】ランダムアクセス手続き（Ｒａｎｄｏｍ  Ａｃｃｅｓｓ  Ｐｒｏｃｅｄｕｒｅ）を示す図である。
【図９】セル−特定参照信号（Ｃｅｌｌ−ｓｐｅｃｉｆｉｃ  Ｒｅｆｅｒｅｎｃｅ  Ｓｉｇｎａｌ；ＣＲＳ）を例示する図である。
【図１０】本発明の一実施例に係るＭＴＣサブバンドを例示する図である。
【図１１】本発明の他の実施例に係るＭＴＣサブバンドを例示する図である。
【図１２】本発明の更に他の実施例に係るＭＴＣサブバンドを例示する図である。
【図１３】本発明の一実施例に係るＭＴＣ信号の送受信方法を例示する図である。
【図１４】本発明の一実施例に係る基地局及び端末のブロック図である。
【発明を実施するための形態】
【００１６】
添付の図面を参照して説明する本発明の実施例から、本発明の構成、作用及び別の特徴を容易に理解することができる。本発明の実施例は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）、ＭＣ−ＦＤＭＡ（Ｍｕｌｔｉ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）のような様々な無線接続技術に用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術によって具現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術によって具現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｅ−ＵＴＲＡ（Ｅｖｏｌｖｅｄ  ＵＴＲＡ）などのような無線技術によって具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部である。ＬＴＥ−Ａ（Ａｄｖａｎｃｅｄ）は、３ＧＰＰ  ＬＴＥの進展したバージョンである。
【００１７】
以下の実施例は、本発明の技術的特徴が３ＧＰＰシステムに適用される場合を中心に説明するが、これは例示に過ぎず、本発明がこれに制限されることはない。
【００１８】
本発明ではＬＴＥ−Ａに基づいて記述しているが、本発明の提案上の概念や提案方式及びそれらの実施例は、多重搬送波を用いる他のシステム（例、ＩＥＥＥ  ８０２．１６ｍシステム）のいずれにも適用可能である。
【００１９】
図１は、ＬＴＥ（−Ａ）システムに用いられる物理チャネル及びこれらのチャネルを用いた一般的な信号送信方法を説明するための図である。
【００２０】
図１を参照すると、電源が消えた状態で電源が入ったり、新しくセルに進入した端末は、段階Ｓ１０１で、基地局と同期を取るなどの初期セル探索（Ｉｎｉｔｉａｌ  ｃｅｌｌ  ｓｅａｒｃｈ）作業を行う。そのために、端末は基地局から１次同期チャネル（Ｐｒｉｍａｒｙ  Ｓｙｎｃｈｒｏｎｉｚａｔｉｏｎ  Ｃｈａｎｎｅｌ、Ｐ−ＳＣＨ）及び２次同期チャネル（Ｓｅｃｏｎｄａｒｙ  Ｓｙｎｃｈｒｏｎｉｚａｔｉｏｎ  Ｃｈａｎｎｅｌ、Ｓ−ＳＣＨ）を受信して基地局と同期を取り、セルＩＤなどの情報を取得する。その後、端末は基地局から物理放送チャネル（Ｐｈｙｓｉｃａｌ  Ｂｒｏａｄｃａｓｔ  Ｃｈａｎｎｅｌ、ＰＢＣＨ）を受信してセル内放送情報（すなわち、ＭＩＢ（Ｍａｓｔｅｒ  Ｉｎｆｏｒｍａｔｉｏｎ  Ｂｌｏｃｋ））を取得することができる。一方、端末は初期セル探索段階で下りリンク参照信号（Ｄｏｗｎｌｉｎｋ  Ｒｅｆｅｒｅｎｃｅ  Ｓｉｇｎａｌ、ＤＬ  ＲＳ）を受信して下りリンクチャネル状態を確認することができる。
【００２１】
初期セル探索を終えた端末は、段階Ｓ１０２で、物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）及び物理下りリンク制御チャネル情報に基づく物理下りリンク共有チャネル（Ｐｈｙｓｉｃａｌ  Ｄｏｗｎｌｉｎｋ  Ｃｏｎｔｒｏｌ  Ｃｈａｎｎｅｌ、ＰＤＳＣＨ）を受信して、より具体的なシステム情報（すなわち、ＳＩＢ（Ｓｙｓｔｅｍ  Ｉｎｆｏｒｍａｔｉｏｎ  Ｂｌｏｃｋ））を取得する。
【００２２】
その後、端末は基地局に接続を完了するために段階Ｓ１０３乃至段階Ｓ１０６のようなランダムアクセス過程（Ｒａｎｄｏｍ  Ａｃｃｅｓｓ  Ｐｒｏｃｅｄｕｒｅ）を行うことができる。そのために、端末は、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）でプリアンブルを送信し（Ｓ１０３）、ＰＤＣＣＨ及びこれに対応するＰＤＳＣＨを介してプリアンブルに対する応答メッセージを受信することができる（Ｓ１０４）。競合ベースランダムアクセスでは、物理上りリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）送信（Ｓ１０５）、及びＰＤＣＣＨ及びこれに対応するＰＤＳＣＨ受信（Ｓ１０６）のような衝突解決手順（Ｃｏｎｔｅｎｔｉｏｎ  Ｒｅｓｏｌｕｔｉｏｎ  Ｐｒｏｃｅｄｕｒｅ）をさらに行う。
【００２３】
上述したような手順を行った端末は、その後、一般的な上りリンク／下りリンク信号送信手順として、ＰＤＣＣＨ／ＰＤＳＣＨ受信（Ｓ１０７）及び物理上りリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）送信（Ｓ１０８）を行うことができる。
【００２４】
図２には、ＬＴＥ（−Ａ）で用いられる無線フレーム（ｒａｄｉｏ  ｆｒａｍｅ）の構造を例示する。３ＧＰＰ  ＬＴＥでは、ＦＤＤ（Ｆｒｅｑｕｅｎｃｙ  Ｄｉｖｉｓｉｏｎ  Ｄｕｐｌｅｘ）のためのタイプ１無線フレーム（ｒａｄｉｏ  ｆｒａｍｅ）、及びＴＤＤ（Ｔｉｍｅ  Ｄｉｖｉｓｉｏｎ  Ｄｕｐｌｅｘ）のためのタイプ２の無線フレームを支援する。
【００２５】
図２（ａ）は、タイプ１無線フレームの構造を例示する図である。ＦＤＤ無線フレームは、下りリンクサブフレーム（ｓｕｂｆｒａｍｅ、ＳＦ）のみから構成されたり、又は上りリンクサブフレームのみから構成される。無線フレームは１０個のサブフレームを含み、サブフレームは時間ドメイン（ｔｉｍｅ  ｄｏｍａｉｎ）で２個のスロット（ｓｌｏｔ）から構成される。サブフレームの長さは１ｍｓであり、スロットの長さは０．５ｍｓでよい。スロットは、時間領域で複数のＯＦＤＭシンボル（下りリンク）又はＳＣ−ＦＤＭＡシンボル（上りリンク）を含む。特に言及しない限り、本明細書ではＯＦＤＭシンボル又はＳＣ−ＦＤＭＡシンボルを簡単にシンボル（以下、ｓｙｍ）と呼ぶものとする。
【００２６】
図２（ｂ）にはタイプ２無線フレームの構造を例示する。ＴＤＤ無線フレームは、２個のハーフフレーム（ｈａｌｆ  ｆｒａｍｅ）から構成される。ハーフフレームは、４（５）個の一般サブフレーム及び１（０）個のスペシャル（ｓｐｅｃｉａｌ）サブフレームを含む。一般サブフレームは、ＵＬ−ＤＬ構成（Ｕｐｌｉｎｋ−Ｄｏｗｎｌｉｎｋ  Ｃｏｎｆｉｇｕｒａｔｉｏｎ）によって上りリンク又は下りリンクに用いられる。スペシャルサブフレームは、ＤｗＰＴＳ（Ｄｏｗｎｌｉｎｋ  Ｐｉｌｏｔ  Ｔｉｍｅ  Ｓｌｏｔ）、ＧＰ（Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）を含む。ＤｗＰＴＳは、端末にとっての初期セル探索、同期化又はチャネル推定に用いられる。ＵｐＰＴＳは、基地局にとってのチャネル推定及び端末の上りリンク送信同期化に用いられる。保護区間は、上りリンクと下りリンクとの間に下りリンク信号の多重経路遅延によって上りリンクで生じる干渉を除去するための区間である。サブフレームは２個のスロットから構成される。
【００２７】
表１に、ＵＬ−ＤＬ構成に従う無線フレーム内サブフレーム構成を例示する。
【００２８】
【表１】
0006434043.tif 000013
【００２９】
ここで、Ｄは下りリンクサブフレームを表し、Ｕは上りリンクサブフレームを表し、Ｓはスペシャルサブフレームを表す。
【００３０】
図３は、スロットにおけるリソースグリッドを例示する図である。時間領域でスロットは複数のシンボル（例、ＯＦＤＭシンボル又はＳＣ−ＦＤＭＡシンボル）、例えば、７個又は６個のシンボルを含む。周波数領域でスロットは複数のリソースブロック（Ｒｅｓｏｕｒｃｅ  Ｂｌｏｃｋ、ＲＢ）を含み、ＲＢは１２個の副搬送波（ｓｕｂｃａｒｒｉｅｒ）を含む。リソースグリッド上の各要素は、リソース要素（Ｒｅｓｏｕｒｃｅ  Ｅｌｅｍｅｎｔ、ＲＥ）と呼ばれる。ＲＥは、信号送信のための最小リソース単位であり、一つの変調シンボルがＲＥにマップされる。
【００３１】
図４は、下りリンクサブフレームの構造を例示する図である。サブフレームの一番目のスロットで先頭における最大３（４）個のＯＦＤＭシンボルは、制御チャネルが割り当てられる制御領域に該当する。それ以外のＯＦＤＭシンボルは、共有チャネル（例、ＰＤＳＣＨ）が割り当てられるデータ領域に該当する。制御チャネルの例には、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）などがある。
【００３２】
ＰＣＦＩＣＨは、サブフレームの最初のＯＦＤＭシンボルで送信され、サブフレームにおいて制御チャネル送信に用いられるＯＦＤＭシンボルの個数に関する情報を運ぶ。ＰＣＦＩＣＨは４個のＲＥＧから構成され、それぞれのＲＥＧは、セルＩＤに基づいて制御領域に均等に分散される。ＰＣＦＩＣＨは、１〜３（又は２〜４）の値を示し、ＱＰＳＫ（Ｑｕａｄｒａｔｕｒｅ  Ｐｈａｓｅ  Ｓｈｉｆｔ  Ｋｅｙｉｎｇ）で変調される。ＰＨＩＣＨは、上りリンク送信に対する応答としてＨＡＲＱ  ＡＣＫ／ＮＡＣＫ信号を運ぶ。ＰＨＩＣＨ区間（ｄｕｒａｔｉｏｎ）によって設定された一つ以上のＯＦＤＭシンボルにおいてＣＲＳ及びＰＣＦＩＣＨ（最初のＯＦＤＭシンボル）以外のＲＥＧ上にＰＨＩＣＨが割り当てられる。ＰＨＩＣＨは、周波数ドメイン上で最大限に分散された３個のＲＥＧに割り当てられる。
【００３３】
ＰＤＣＣＨは、下りリンク共有チャネル（ｄｏｗｎｌｉｎｋ  ｓｈａｒｅｄ  ｃｈａｎｎｅｌ、ＤＬ−ＳＣＨ）の送信フォーマット及びリソース割り当て情報、上りリンク共有チャネル（ｕｐｌｉｎｋ  ｓｈａｒｅｄ  ｃｈａｎｎｅｌ、ＵＬ−ＳＣＨ）の送信フォーマット及びリソース割り当て情報、ページングチャネル（ｐａｇｉｎｇ  ｃｈａｎｎｅｌ、ＰＣＨ）上のページング情報、ＤＬ−ＳＣＨ上のシステム情報、ＰＤＳＣＨ上で送信されるランダムアクセス応答のような上位層制御メッセージのリソース割り当て情報、端末グループ中の各端末に対するＴｘ電力制御命令セット、Ｔｘ電力制御命令、ＶｏＩＰ（Ｖｏｉｃｅ  ｏｖｅｒ  ＩＰ）の活性化指示情報などを運ぶ。複数のＰＤＣＣＨを制御領域で送信可能である。端末は、複数のＰＤＣＣＨをモニタリングすることができる。ＰＤＣＣＨは、１つ又は複数の連続した制御チャネル要素（ｃｏｎｔｒｏｌ  ｃｈａｎｎｅｌ  ｅｌｅｍｅｎｔ、ＣＣＥ）の集合（ａｇｇｒｅｇａｔｉｏｎ）上で送信される。ＣＣＥは、ＰＤＣＣＨに無線チャネル状態に基づくコーディングレートを提供するために用いられる論理的割り当てユニットである。ＣＣＥは、複数のリソース要素グループ（ｒｅｓｏｕｒｃｅ  ｅｌｅｍｅｎｔ  ｇｒｏｕｐ、ＲＥＧ）に対応する。ＰＤＣＣＨのフォーマット及びＰＤＣＣＨビットの個数は、ＣＣＥの個数によって決定される。
【００３４】
表２に、ＰＤＣＣＨフォーマットに従うＣＣＥ個数、ＲＥＧ個数、ＰＤＣＣＨビット数を示す。
【００３５】
【表２】
0006434043.tif 000014
【００３６】
ＣＣＥは、連続して番号が付けられ、デコーディングプロセスを単純化するために、ｎ  ＣＣＥｓから構成されたフォーマットを有するＰＤＣＣＨは、ｎの倍数と同じ数を有するＣＣＥでのみ開始可能である。特定ＰＤＣＣＨの送信のために用いられるＣＣＥの個数は、チャネル条件によって基地局で決定される。例えば、ＰＤＣＣＨが良好な下りリンクチャネルを有する（例、基地局に近接する）端末のためのものであれば、１つのＣＣＥでも十分であろう。しかし、悪いチャネルを有する（例、セル境界に近接する）端末に対しては、十分のロバスト（ｒｏｂｕｓｔｎｅｓｓ）を得るために８個のＣＣＥを用いることができる。また、ＰＤＣＣＨの電力レベルがチャネル条件に応じて調節されてもよい。
【００３７】
ＰＤＣＣＨで送信される制御情報をＤＣＩ（Ｄｏｗｎｌｉｎｋ  Ｃｏｎｔｒｏｌ  Ｉｎｆｏｒｍａｔｉｏｎ）と呼ぶ。様々なＤＣＩフォーマットが用途によって定義される。具体的に、上りリンクスケジューリングのためにＤＣＩフォーマット０、４（以下、ＵＬグラント）が定義され、下りリンクスケジューリングのためにＤＣＩフォーマット１、１Ａ、１Ｂ、１Ｃ、１Ｄ、２、２Ａ、２Ｂ、２Ｃ（以下、ＤＬグラント）が定義される。ＤＣＩフォーマットは、用途によって、ホッピングフラグ（ｈｏｐｐｉｎｇ  ｆｌａｇ）、ＲＢ割り当て、ＭＣＳ（Ｍｏｄｕｌａｔｉｏｎ  Ｃｏｄｉｎｇ  Ｓｃｈｅｍｅ）、ＲＶ（Ｒｅｄｕｎｄａｎｃｙ  Ｖｅｒｓｉｏｎ）、ＮＤＩ（Ｎｅｗ  Ｄａｔａ  Ｉｎｄｉｃａｔｏｒ）、ＴＰＣ（Ｔｒａｎｓｍｉｔ  Ｐｏｗｅｒ  Ｃｏｎｔｒｏｌ）、サイクリックシフトＤＭ−ＲＳ（ＤｅＭｏｄｕｌａｔｉｏｎ  Ｒｅｆｅｒｅｎｃｅ  Ｓｉｇｎａｌ）、ＣＱＩ（Ｃｈａｎｎｅｌ  Ｑｕａｌｉｔｙ  Ｉｎｆｏｒｍａｔｉｏｎ）要請、ＨＡＲＱプロセス番号、ＴＰＭＩ（Ｔｒａｎｓｍｉｔｔｅｄ  Ｐｒｅｃｏｄｉｎｇ  Ｍａｔｒｉｘ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）確認（ｃｏｎｆｉｒｍａｔｉｏｎ）などの情報を選択的に含む。
【００３８】
基地局は、端末に送信される制御情報によってＰＤＣＣＨフォーマットを決定し、制御情報にエラー検出のためのＣＲＣ（ｃｙｃｌｉｃ  ｒｅｄｕｎｄａｎｃｙ  ｃｈｅｃｋ）を付加する。ＣＲＣは、ＰＤＣＣＨの所有者や用途によって識別子（例、ＲＮＴＩ（ｒａｄｉｏ  ｎｅｔｗｏｒｋ  ｔｅｍｐｏｒａｒｙ  ｉｄｅｎｔｉｆｉｅｒ））でマスクされる。言い換えると、ＰＤＣＣＨは識別子（例、ＲＮＴＩ）でＣＲＣスクランブルされる。
【００３９】
表３に、ＰＤＣＣＨにマスクされる識別子を例示する。
【００４０】
【表３】
0006434043.tif 000015
【００４１】
Ｃ−ＲＮＴＩ、ＴＣ−ＲＮＴＩ（Ｔｅｍｐｏｒａｒｙ  Ｃ−ＲＮＴＩ）及びＳＰＳ  Ｃ−ＲＮＴＩ（Ｓｅｍｉ−Ｐｅｒｓｉｓｔｅｎｔ  Ｓｃｈｅｄｕｌｉｎｇ  Ｃ−ＲＮＴＩ）が用いられると、ＰＤＣＣＨは特定端末のための端末−特定制御情報を運び、そ例外のＲＮＴＩが用いられると、ＰＤＣＣＨはセル内り全端末のための共通制御情報を運ぶ。
【００４２】
ＬＴＥ（−Ａ）は、それぞれの端末のためにＰＤＣＣＨが位置し得る制限されたセットのＣＣＥ位置を定義する。端末が自身のＰＤＣＣＨを探すためにモニタリングすべき制限されたセットのＣＣＥ位置（すなわち、制限されたＣＣＥセット又は制限されたＰＤＣＣＨ候補セット）を、検索空間（Ｓｅａｒｃｈ  Ｓｐａｃｅ、ＳＳ）と呼ぶことができる。ここで、モニタリングは、それぞれのＰＤＣＣＨ候補をデコードすることを含む（ブラインドデコーディング）。ＵＥ−特定検索空間（ＵＥ−ｓｐｅｃｉｆｉｃ  Ｓｅａｒｃｈ  Ｓｐａｃｅ、ＵＳＳ）及び共通検索空間（Ｃｏｍｍｏｎ  Ｓｅａｒｃｈ  Ｓｐａｃｅ、ＣＳＳ）検索空間が定義される。ＵＳＳは端末別に設定され、ＣＳＳは各端末に対して同一に設定される。ＵＳＳ及びＣＳＳはオーバーラップされてもよい。ＵＳＳの開始位置は、端末−特定方式で各サブフレームでホップする。検索空間はＰＤＣＣＨフォーマットに従って別々のサイズを有することができる。
【００４３】
表４に、ＣＳＳ及びＵＳＳのサイズを示す。
【００４４】
【表４】
0006434043.tif 000016
【００４５】
ブラインドデコーディング（Ｂｌｉｎｄ  Ｄｅｃｏｄｉｎｇ、ＢＤ）の総回数による計算負荷を統制するために、端末は定義された全てのＤＣＩフォーマットを同時に検索するように要求されない。一般に、ＵＳＳにおいて端末は常にフォーマット０と１Ａを検索する。フォーマット０と１Ａは同一サイズを有し、メッセージ中のフラグによって区別される。また、端末は追加フォーマットを受信するように要求されてもよい（例、基地局で設定されたＰＤＳＣＨ送信モードによって１、１Ｂ又は２）。ＣＳＳにおいて端末はフォーマット１Ａ及び１Ｃを検索する。また、端末はフォーマット３又は３Ａを検索するように設定されてもよい。フォーマット３及び３Ａは、フォーマット０及び１Ａと同じサイズを有し、端末−特定識別子よりは、異なる（共通）識別子でＣＲＣをスクランブルすることによって区別することができる。
【００４６】
送信モード（Ｔｒａｎｓｍｉｓｓｉｏｎ  Ｍｏｄｅ、ＴＭ）によるＰＤＳＣＨ送信技法と、ＤＣＩフォーマットの情報コンテンツを下記する。
【００４７】
送信モード
【００４８】
●送信モード１：単一基地局アンテナポートからの送信
【００４９】
●送信モード２：送信ダイバーシチ
【００５０】
●送信モード３：開−ループ空間多重化
【００５１】
●送信モード４：閉−ループ空間多重化
【００５２】
●送信モード５：多重−ユーザＭＩＭＯ（Ｍｕｌｔｉｐｌｅ  Ｉｎｐｕｔ  Ｍｕｌｔｉｐｌｅ  Ｏｕｔｐｕｔ）
【００５３】
●送信モード６：閉−ループランク−１プリコーディング
【００５４】
●送信モード７：単一−アンテナポート（ポート５）送信
【００５５】
●送信モード８：二重レイヤ送信（ポート７及び８）又は単一−アンテナポート（ポート７又は８）送信
【００５６】
●送信モード９〜１０：最大８個のレイヤ送信（ポート７〜１４）又は単一−アンテナポート（ポート７又は８）送信
【００５７】
ＤＣＩフォーマット
【００５８】
●フォーマット０：ＰＵＳＣＨ送信のためのリソースグラント
【００５９】
●フォーマット１：単一コードワードＰＤＳＣＨ送信（送信モード１、２及び７）のためのリソース割り当て
【００６０】
●フォーマット１Ａ：単一コードワードＰＤＳＣＨ（全てのモード）のためのリソース割り当てのコンパクトシグナリング
【００６１】
●フォーマット１Ｂ：ランク−１閉−ループプリコーディングを用いるＰＤＳＣＨ（モード６）のためのコンパクトリソース割り当て
【００６２】
●フォーマット１Ｃ：ＰＤＳＣＨ（例、ページング／ブロードキャストシステム情報）のための非常にコンパクトなリソース割り当て
【００６３】
●フォーマット１Ｄ：多重−ユーザＭＩＭＯを用いるＰＤＳＣＨ（モード５）のためのコンパクトリソース割り当て
【００６４】
●フォーマット２：閉−ループＭＩＭＯ動作のＰＤＳＣＨ（モード４）のためのリソース割り当て
【００６５】
●フォーマット２Ａ：開−ループＭＩＭＯ動作のＰＤＳＣＨ（モード３）のためのリソース割り当て
【００６６】
●フォーマット３／３Ａ：ＰＵＣＣＨ及びＰＵＳＣＨのために２−ビット／１−ビット電力調整値を有する電力コントロールコマンド
【００６７】
●フォーマット４：多重−アンテナポート送信モードに設定されたセルでＰＵＳＣＨ送信のためのリソースグラント
【００６８】
ＤＣＩフォーマットは、ＴＭ−専用（ｄｅｄｉｃａｔｅｄ）フォーマットとＴＭ−共通（ｃｏｍｍｏｎ）フォーマットとに分類可能である。ＴＭ−専用フォーマットは、該当のＴＭにのみ設定されたＤＣＩフォーマットを意味し、ＴＭ−共通フォーマットは全てのＴＭに共通に設定されたＤＣＩフォーマットを意味する。例えば、ＴＭ８は、ＤＣＩフォーマット２ＢをＴＭ−専用ＤＣＩフォーマットとし、ＴＭ９は、ＤＣＩフォーマット２ＣをＴＭ−専用ＤＣＩフォーマットとし、ＴＭ１０は、ＤＣＩフォーマット２ＤをＴＭ−専用ＤＣＩフォーマットとすることができる。また、ＤＣＩフォーマット１ＡをＴＭ−共通ＤＣＩフォーマットとすることができる。
【００６９】
図５には、サブフレームにＥ−ＰＤＣＣＨを割り当てる例を示す。既存ＬＴＥシステムにおいてＰＤＣＣＨは制限されたＯＦＤＭシンボルで送信されるなどの限界がある。そこで、ＬＴＥ−Ａでは、より柔軟なスケジューリングのためにＥ−ＰＤＣＣＨ（ｅｎｈａｎｃｅｄ  ＰＤＣＣＨ）を導入している。
【００７０】
図５を参照すると、制御領域（図４参照）には、既存ＬＴＥ（−Ａ）に基づくＰＤＣＣＨ（便宜上、Ｌｅｇａｃｙ  ＰＤＣＣＨ、Ｌ−ＰＤＣＣＨ）を割り当てることができる。Ｌ−ＰＤＣＣＨ領域はＬ−ＰＤＣＣＨを割り当て可能な領域を意味する。文脈によって、Ｌ−ＰＤＣＣＨ領域は、制御領域、制御領域内で実際にＰＤＣＣＨが割り当てられてもよい制御チャネルリソース領域（すなわち、ＣＣＥリソース）、又はＰＤＣＣＨ検索空間を意味することができる。一方、データ領域（図4参照）内にＰＤＣＣＨがさらに割り当てられてもよい。データ領域に割り当てられたＰＤＣＣＨをＥ−ＰＤＣＣＨと呼ぶ。図示のように、Ｅ−ＰＤＣＣＨを用いて制御チャネルリソースをさらに確保することによって、Ｌ−ＰＤＣＣＨ領域の制限された制御チャネルリソースによるスケジューリング制約を緩和することができる。データ領域においてＥ−ＰＤＣＣＨとＰＤＳＣＨはＦＤＭ（Ｆｒｅｑｕｅｎｃｙ  Ｄｉｖｉｓｉｏｎ  Ｍｕｌｔｉｐｌｅｘｉｎｇ）方式で多重化される。
【００７１】
具体的に、Ｅ−ＰＤＣＣＨは、ＤＭ−ＲＳ（Ｄｅｍｏｄｕｌａｔｉｏｎ  Ｒｅｆｅｒｅｎｃｅ  Ｓｉｇｎａｌ）に基ついで検出／復調することができる。Ｅ−ＰＤＣＣＨは時間軸上でＰＲＢ（Ｐｈｙｓｉｃａｌ  Ｒｅｓｏｕｒｃｅ  Ｂｌｏｃｋ）ペア（ｐａｉｒ）にわたって送信される構造を有する。Ｅ−ＰＤＣＣＨベーススケジューリングが設定される場合、どのサブフレームでＥ−ＰＤＣＣＨ送信／検出を行うかを指定することができる。Ｅ−ＰＤＣＣＨは、ＵＳＳにのみ構成することができる。端末は、Ｅ−ＰＤＣＣＨ送信が許容されるように設定されたサブフレーム（以下、Ｅ−ＰＤＣＣＨサブフレーム）でＬ−ＰＤＣＣＨ  ＣＳＳとＥ−ＰＤＣＣＨ  ＵＳＳに対してのみＤＣＩ検出を試み、Ｅ−ＰＤＣＣＨ送信が許容されないように設定されたサブフレーム（すなわち、ノン−Ｅ−ＰＤＣＣＨサブフレーム）ではＬ−ＰＤＣＣＨ  ＣＳＳとＬ−ＰＤＣＣＨ  ＵＳＳに対してＤＣＩ検出を試みることができる。
【００７２】
Ｌ−ＰＤＣＣＨと同様に、Ｅ−ＰＤＣＣＨはＤＣＩを搬送する。例えば、Ｅ−ＰＤＣＣＨは、下りリンクスケジューリング情報、上りリンクスケジューリング情報を運ぶことができる。Ｅ−ＰＤＣＣＨ／ＰＤＳＣＨ過程及びＥ−ＰＤＣＣＨ／ＰＵＳＣＨ過程は、図１の段階Ｓ１０７及びＳ１０８を参照して説明した過程と同一／類似に行われる。すなわち、端末は、Ｅ−ＰＤＣＣＨを受信し、Ｅ−ＰＤＣＣＨに対応するＰＤＳＣＨを介してデータ／制御情報を受信することができる。また、端末は、Ｅ−ＰＤＣＣＨを受信し、Ｅ−ＰＤＣＣＨに対応するＰＵＳＣＨを介してデータ／制御情報を送信することができる。一方、既存のＬＴＥは、制御領域内にＰＤＣＣＨ候補領域（以下、ＰＤＣＣＨ検索空間）をあらかじめ予約し、その一部の領域で特定端末のＰＤＣＣＨを送信する方式を取っている。このため、端末は、ブラインドデコーディングを用いてＰＤＣＣＨ検索空間内で自身のＰＤＣＣＨをモニタリングすることができる。同様に、Ｅ−ＰＤＣＣＨも、事前予約されたリソースの一部又は全てにわたって送信されてもよい。
【００７３】
図６はＬＴＥで用いられる上りリンクサブフレームの構造を例示する。
【００７４】
図６を参照すると、上りリンクサブフレームは、複数（例、２個）のスロットを含む。スロットはＣＰ長によって異なる数のＳＣ−ＦＤＭＡシンボルを含むことができる。上りリンクサブフレームは、周波数領域においてデータ領域と制御領域と区別される。データ領域は、ＰＵＳＣＨを含み、音声などのデータ信号を送信するために用いられる。制御領域は、ＰＵＣＣＨを含み、上りリンク制御情報（Ｕｐｌｉｎｋ  Ｃｏｎｔｒｏｌ  Ｉｎｆｏｒｍａｔｉｏｎ、ＵＣＩ）を送信するために用いられる。ＰＵＣＣＨは、周波数軸においてデータ領域の両端部に位置しているＲＢ対（ＲＢ  ｐａｉｒ）を含み、スロットを境界にホップする。
【００７５】
ＰＵＣＣＨは、次の制御情報を送信するために用いることができる。
【００７６】
−  ＳＲ（Ｓｃｈｅｄｕｌｉｎｇ  Ｒｅｑｕｅｓｔ）：上りリンクＵＬ−ＳＣＨリソースを要請するために用いられる情報である。ＯＯＫ（Ｏｎ−Ｏｆｆ  Ｋｅｙｉｎｇ）方式で送信される。
【００７７】
−  ＨＡＲＱ応答：ＰＤＳＣＨ上の下りリンクデータブロック（例、伝送ブロック（ｔｒａｎｓｐｏｒｔ  ｂｌｏｃｋ、ＴＢ）又はコードワード（ｃｏｄｅｗｏｒｄ、ＣＷ））に対する応答信号である。下りリンクデータブロックが成功的に受信されたか否かを示す。単一下りリンクコードワードに対する応答としてＡＣＫ／ＮＡＣＫ  １ビットが送信され、２つの下りリンクコードワードに対する応答としてＡＣＫ／ＮＡＣＫ  ２ビットが送信される。ＨＡＲＱ応答は、ＨＡＲＱ  ＡＣＫ／ＮＡＣＫ又はＨＡＲＱ−ＡＣＫと同じ意味で使われてもよい。
【００７８】
−  ＣＱＩ（Ｃｈａｎｎｅｌ  Ｑｕａｌｉｔｙ  Ｉｎｄｉｃａｔｏｒ）：下りリンクチャネルに対するフィードバック情報である。ＭＩＭＯ（Ｍｕｌｔｉｐｌｅ  Ｉｎｐｕｔ  Ｍｕｌｔｉｐｌｅ  Ｏｕｔｐｕｔ）−関連フィードバック情報は、ＲＩ（Ｒａｎｋ  Ｉｎｄｉｃａｔｏｒ）及びＰＭＩ（Ｐｒｅｃｏｄｉｎｇ  Ｍａｔｒｉｘ  Ｉｎｄｉｃａｔｏｒ）を含む。サブフレーム当たり２０ビットが用いられる。
【００７９】
端末がサブフレームで送信可能な制御情報（ＵＣＩ）の量は、制御情報の送信に使用可能なＳＣ−ＦＤＭＡの個数に依存する。制御情報の送信に使用可能なＳＣ−ＦＤＭＡは、サブフレームにおいて参照信号の送信に用いられるＳＣ−ＦＤＭＡシンボル以外のＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が設定されているサブフレームの場合、サブフレームの最後のＳＣ−ＦＤＭＡシンボルも除外される。参照信号は、ＰＵＣＣＨのコヒーレント検出に用いられる。ＰＵＣＣＨは、送信される情報によって７個のフォーマットを支援する。
【００８０】
表５に、ＬＴＥにおいてＰＵＣＣＨフォーマットとＵＣＩとのマッピング関係を示す。
【００８１】
【表５】
0006434043.tif 000017
【００８２】
図７に、不連続受信（Ｄｉｓｃｏｎｔｉｎｕｏｕｓ  Ｒｅｃｅｐｔｉｏｎ：ＤＲＸ）を例示する。端末は電力消費の減少を目的にＤＲＸを行う。ＤＲＸは、端末のＰＤＣＣＨモニタリング活性を制御する。図７を参照すると、ＤＲＸ周期は、オン期間（Ｏｎ  ｄｕｒａｔｉｏｎ）、及びＤＲＸのための機会（ｏｐｐｏｒｔｕｎｉｔｙ  ｆｏｒ  ＤＲＸ）を含む。具体的に、端末は、オン期間にＰＤＣＣＨをモニタリングし、ＤＲＸのための機会の間にはＰＤＣＣＨモニタリングを行わない。ＰＤＣＣＨモニタリングは、端末のＣ−ＲＮＴＩ、ＴＰＣ−ＰＵＣＣＨ−ＲＮＴＩ、ＴＰＣ−ＰＵＳＣＨ−ＲＮＴ、及び（設定された場合）ＳＰＳ（Ｓｅｍｉ−Ｐｅｒｓｉｓｔｅｎｔ  Ｓｃｈｅｄｕｌｉｎｇ）Ｃ−ＲＮＴＩに対するモニタリングを含む。ＲＲＣ（Ｒａｄｉｏ  Ｒｅｓｏｕｒｃｅ  Ｃｏｎｔｒｏｌ）＿ＣＯＮＮＥＣＴＥＤ状態にあると共にＤＲＸが設定された場合、端末はＤＲＸ動作によってＰＤＣＣＨを不連続的にモニタリングすることができる。そうでない場合、端末はＰＤＣＣＨを連続的にモニタリングする。上位層（ＲＲＣ）シグナリングによってｏｎＤｕｒａｔｉｏｎＴｉｍｅｒ及びＤＲＸサイクルが設定されてもよい。ｏｎＤｕｒａｔｉｏｎＴｉｍｅｒは、ＤＲＸサイクルの開始時点から連続したＰＤＣＣＨ−サブフレームの個数を示す。ＦＤＤにおいてＰＤＣＣＨサブフレームは全サブフレームを表し、ＴＤＤにおいてＰＤＣＣＨサブフレームは下りリンクサブフレーム及びＤｗＰＴＳを含むサブフレームを表す。
【００８３】
図８は、ランダムアクセス手続き（Ｒａｎｄｏｍ  Ａｃｃｅｓｓ  Ｐｒｏｃｅｄｕｒｅ）を示す図である。ランダムアクセス手続きは、短い長さのデータを上り送信するために用いられる。例えば、ランダムアクセス手続きは、ＲＲＣ（Ｒａｄｉｏ  Ｒｅｓｏｕｒｃｅ  Ｃｏｎｔｒｏｌ）＿ＩＤＬＥでの初期接続、無線リンク失敗後の初期接続、ランダムアクセス手続きを要求するハンドオーバー、ＲＲＣ＿ＣＯＮＮＥＣＴＥＤ中にランダムアクセス手続きが要求される上りリンク／下りリンクデータの発生時に行われる。ランダムアクセス手続きは、衝突（ｃｏｎｔｅｎｔｉｏｎ）ベース手続きと非衝突（ｎｏｎ−ｃｏｎｔｅｎｔｉｏｎ）ベース手続きとに区別される。
【００８４】
図８を参照すると、端末は、システム情報を通じて基地局からランダムアクセスに関する情報を受信して保存する。その後、ランダムアクセスが必要な場合、端末はランダムアクセスプリアンブル（Ｒａｎｄｏｍ  Ａｃｃｅｓｓ  Ｐｒｅａｍｂｌｅ（メッセージ１；Ｍｓｇ１）をＰＲＡＣＨで基地局に送信する（Ｓ８１０）。基地局が端末からランダムアクセスプリアンブルを受信すると、基地局は、ランダムアクセス応答メッセージ（メッセージ２；Ｍｓｇ２）を端末に送信する（Ｓ８２０）。具体的に、ランダムアクセス応答メッセージに対する下りリンクスケジューリング情報は、ＲＡ−ＲＮＴＩ（Ｒａｎｄｏｍ  Ａｃｃｅｓｓ−ＲＮＴＩ）でＣＲＣマスクされて、ＰＤＣＣＨで送信される。ＲＡ−ＲＮＴＩでマスクされた下りリンクスケジューリング信号を受信した端末は、ＰＤＳＣＨからランダムアクセス応答メッセージを受信することができる。その後、端末は自身に指示されたランダムアクセス応答（Ｒａｎｄｏｍ  Ａｃｃｅｓｓ  Ｒｅｓｐｏｎｓｅ；ＲＡＲ）がランダムアクセス応答メッセージに存在するか否かを確認する。ＲＡＲは、タイミングアドバンス（Ｔｉｍｉｎｇ  Ａｄｖａｎｃｅ；ＴＡ）、上りリンクリソース割り当て情報（ＵＬグラント）、端末臨時識別子などを含む。端末は、ＵＬグラントによってＵＬ−ＳＣＨ（Ｓｈａｒｅｄ  Ｃｈａｎｎｅｌ）メッセージ（メッセージ３；Ｍｓｇ３）を基地局に送信する（Ｓ８３０）。基地局は、ＵＬ−ＳＣＨメッセージを受信した後、衝突解決（ｃｏｎｔｅｎｔｉｏｎ  ｒｅｓｏｌｕｔｉｏｎ）メッセージ（メッセージ４；Ｍｓｇ４）を端末に送信する（Ｓ８４０）。
【００８５】
図９にＣＲＳを例示する。ＣＲＳは、アンテナポート０〜３で送信され、基地局によって１個のアンテナ（Ｐ＝０）、２個のアンテナ（Ｐ＝０，１）、又は４個のアンテナ（Ｐ＝０，１，２，３）が支援されてもよい。図９には、最大４個のアンテナまで支援される場合のＣＲＳ構造を示す。ＬＴＥシステムにおいてＣＲＳは復調目的及び測定目的のいずれにも利用されるため、ＣＲＳは、ＰＤＳＣＨ伝送を支援する全下りリンクサブフレームで全帯域にわたって送信され、基地局に設定された（ｃｏｎｆｉｇｕｒｅｄ）全アンテナポートで送信される。一方、ＣＲＳは毎サブフレームの全帯域で送信されることから、ＲＳオーバーヘッドが高い。
【００８６】
ＭＴＣ  ＣＥ（Ｍａｃｈｉｎｅ  Ｔｙｐｅ  Ｃｏｍｍｕｎｉｃａｔｉｏｎ  Ｃｏｖｅｒａｇｅ  Ｅｎｈａｎｃｅｍｅｎｔ）
【００８７】
上述したＬＴＥ−Ａシステムに関する事項の少なくとも一部は、後述するＭＴＣを支援する無線通信システム、基地局及び／又はＭＴＣ端末に適用されてもよい。ＬＴＥ−Ａの次期システムは、計器検針、水位測定、監視カメラの活用、自動販売機の在庫の報告などのデータ通信を中心にする低価格／抵仕様の端末を構成することを考慮している。このような端末を便宜上、ＭＴＣ（Ｍａｃｈｉｎｅ  Ｔｙｐｅ  Ｃｏｍｍｕｎｉｃａｔｉｏｎ）端末と総称する。ＭＴＣ端末の場合、伝送データ量が少なく、上りリンク／下りリンクデータ送受信が時折り発生する。このため、このような低いデータ伝送率に合わせて端末機の単価を下げ、バッテリー消耗を減らすことが効率的である。ＭＴＣ端末は、移動性が少ないため、チャネル環境がほとんど変わらないという特性を有する。現在、ＬＴＥ−Ａでは、このようなＭＴＣ端末が広い上りリンク／下りリンクカバレッジ（ｃｏｖｅｒａｇｅ）を有するように、様々なＣＥ（ｃｏｖｅｒａｇｅ  ｅｎｈａｎｃｅｍｅｎｔ）技法が議論されている。
【００８８】
ＭＴＣ  ＵＥのカバレッジ向上のために考慮可能な例示的な方案について説明する。
【００８９】
（i）ＴＴＩバンドリング、ＨＡＲＱ再伝送、反復伝送、コードスプレッディング、ＲＬＣセグメンテーション、下位レートコーディング（Ｌｏｗ  ｒａｔｅ  ｃｏｄｉｎｇ）、下位変調次数及び新しいデコーディング技法：信号送信時間を延長する技法を用いてカバレッジ向上のために信号のエネルギーを累積することができる。データチャネルにおけるＴＴＩバンドリング及びＨＡＲＱ再伝送をカバレッジ向上のために用いることができる。現在、ＵＬ  ＨＡＲＱ再伝送は最大２８回であり、現在ＴＴＩバンドリングは最大４個の連続したサブフレームまで支援する。より大きいＴＴＩバンドリングサイズを用いてＴＴＩバンドリングを行う方案及び最大ＨＡＲＱ再伝送回数を増やす方案を、パフォーマンス向上のために考慮することができる。ＴＴＩバンドリングやＨＡＲＱ再伝送方案の他に、反復伝送技法を用いてもよい。反復伝送ごとにリダンダンシーバージョンを同一又は個別に設定することができる。また、時間ドメイン上でコードスプレッディングがカバレッジ向上のために考慮されてもよい。カバレッジ向上のためにＭＴＣトラフィックパケットはＲＬＣセグメントに分割されてもよい。カバレッジ向上のために、非常に低いコーディングレートの使用、下位変調次数の使用（例えば、ＢＰＳＫ）、より短いＣＲＣ長の使用が考慮されてもよい。カバレッジ向上のために、特定チャネルの特性（例えば、チャネル周期性（ｃｈａｎｎｅｌ  ｐｅｒｉｏｄｉｃｉｔｙ）、パラメータ変更のレート、チャネル構造、コンテンツ制限など）及び要求されるパフォーマンス（例えば、遅延耐性（ｄｅｌａｙ  ｔｏｌｅｒａｎｃｅ））を考慮して新しいデコーディング技法（例えば、相関又はデコードされるサーチスペースの減縮）を用いることができる。
【００９０】
（ii）電力ブースト、ＰＳＤ（Ｐｏｗｅｒ  Ｓｐｅｃｔｒａｌ  Ｄｅｎｓｉｔｙ）ブースト：基地局はＭＴＣ端末へのＤＬ伝送のためにＤＬ伝送電力をブーストすることができる。或いは、基地局又はＭＴＣ端末は、帯域幅のサイズを減らし、与えられた電力レベルを減少した帯域幅に集中させることによってカバレッジを向上させることができる（すなわち、ＰＳＤブースト）。電力ブースト又はＰＳＤブーストの使用は各チャネル又は信号を考慮して用いればよい。
【００９１】
（iii）要求事項の緩和（Ｒｅｌａｘｅｄ  ｒｅｑｕｉｒｅｍｅｎｔ）：一部のチャネルの場合、そのＭＴＣ端末の特性を考慮してパフォーマンス要求事項が緩和されてもよい（例えば、より大きい遅延許容）。同期信号の場合、ＭＴＣ端末は、周期的に送信されるＰＳＳ又はＳＳＳを複数回組み合わせることによって、信号のエネルギーを累積することができる。このような方式は同期獲得にかかる時間を増加させ得る。又は、ＰＲＡＣＨの場合、緩和されたＰＲＡＣＨ検出臨界レート（ｄｅｔｅｃｔｉｏｎ  ｔｈｒｅｓｈｏｌｄ  ｒａｔｅ）及びより高い失敗報知レート（ｈｉｇｈｅｒ  ｆａｌｓｅ  ａｌａｒｍ  ｒａｔｅ）が基地局で用いられてもよい。
【００９２】
（iv）チャネル又は信号の新しい設計：カバレッジ向上のためにチャネル又は信号の新しい設計方案が考慮されてもよい。
【００９３】
（v）スモールセルの使用：ＭＴＣ端末及び／又はｎｏｎ−ＭＴＣ端末のカバレッジ向上のために、スモールセル（例えば、ピコ、フェムト、ＲＲＨ、リレー、リピータなど）を用いることができる。スモールセルを用いることにより、ＵＥとＵＥに最も近接したセルとの間の経路損失（ｐａｔｈ  ｌｏｓｓ）を低減させることができる。ＭＴＣ端末に対して下りリンクと上りリンクがデカップリングされてもよい。上りリンクの場合、最小カップリング損失（ｔｈｅ  ｌｅａｓｔ  ｃｏｕｐｌｉｎｇ  ｌｏｓｓ）に基づいて最善のサービングセルを選択することができる。下りリンクの場合、マクロセルとＬＰＮ（ｌｏｗ  ｐｏｗｅｒ  ｎｏｄｅ）間の送信電力の不均衡（ｉｍｂａｌａｎｃｅ）が大きいため（例えば、アンテナ利得）、最善のサービングセルは、受信信号の電力が最大となるセルであってもよい。このようなＵＬ／ＤＬデカップリング動作のために、マクロサービングセル及び潜在的なＬＰＮはチャネル設定（例えば、ＲＡＣＨ、ＰＵＳＣＨ、ＳＲＳ）に関する情報を交換し、適切なＬＰＮを識別することができる。デカップリングされたＵＬ／ＤＬのためにそれぞれ異なったＲＡＣＨ設定が要求されてもよい。
【００９４】
（vi）その他の技法：指向性アンテナ（ｄｉｒｅｃｔｉｏｎａｌ  ａｎｔｅｎｎａｓ）及び外部アンテナ（ｅｘｔｅｒｎａｌ  ａｎｔｅｎｎａｓ）をＭＴＣ端末に対するカバレッジ向上のために用いてもよい。
【００９５】
一方、Ｎｏｎ−ＭＴＣ端末に対してはキャリアにつき最大２０ＭＨｚ帯域幅が支援される。ＭＴＣ端末の費用を低減させるために、支援される最大帯域幅のサイズが２０ＭＨｚよりも小さく設定されてもよい（例えば、１．４ＭＨｚ、３ＭＨｚ又は５ＭＨｚ）。このような最大帯域幅の低減は、上りリンク／下りリンク、ＲＦ／ベースバンド装置及びデータ／制御チャネルに適用することができる。以下、帯域幅のサイズを減らす方案について説明する。
【００９６】
下りリンクの場合、ＲＦ及びベースバンドの両方に対して帯域幅を低減させる方案（Ｏｐｔｉｏｎ  ＤＬ−１）、データチャネル及び制御チャネルの両方に対してベースバンドの帯域幅だけを低減させる方案（Ｏｐｔｉｏｎ  ＤＬ−２）、制御チャネルに対してはキャリアの全帯域幅を許容し、データチャネルの帯域幅だけを低減させる方案（Ｏｐｔｉｏｎ  ＤＬ−３）などを考慮できるが、これに限定されない。
【００９７】
上りリンクの場合、ＲＦ及びベースバンドの両方に対して帯域幅を低減させる方案（Ｏｐｔｉｏｎ  ＵＬ−１）、帯域幅を低減させない方案（Ｏｐｔｉｏｎ  ＵＬ−２）などを考慮できるが、これに限定されない。
【００９８】
上述したオプションで、低減した帯域幅のサイズは最小１．４ＭＨｚであり、低減した帯域幅は、周波数軸において固定位置を有してもよく、キャリア帯域幅の中央に位置してもよいが、これに限定されない。また、上述した上りリンクのオプションと下りリンクのオプションとが組み合わせられてもよい。また、低減した帯域幅の周波数軸上の位置は、ＭＴＣ  ＵＥに対して準静的、動的又は既に定義されたパターンによって変更されてもよい。
【００９９】
上述した内容に基づいて、低コスト＆向上したカバレッジのＭＴＣ端末（Ｌｏｗ  ｃｏｓｔ  ＆  ｅｎｈａｎｃｅｄ  ｃｏｖｅｒａｇｅ  ＭＴＣ  ＵＥ  ｆｏｒ  ＬＴＥ）及び低い複雑度（ｌｏｗ  ｃｏｍｐｌｅｘｉｔｙ）のＭＴＣ端末について議論する。
【０１００】
図１０に、本発明の一実施例に係るＭＴＣ端末のためのサブバンドを示す。
【０１０１】
上述した通り、実際の該当するセルの動作システム帯域幅とは違い、例えば、１．４ＭＨｚに低減した帯域幅上でＭＴＣ  ＵＥの上りリンク／下りリンク動作が行われてもよい。以下、低減した帯域（ｒｅｄｕｃｅｄ  ｂａｎｄ）を、狭帯域（ｎａｒｒｏｗ  ｂａｎｄ）又はサブバンド（ｓｕｂｂａｎｄ）と呼ぶことができる。
【０１０２】
図１０の（ａ）を参照すると、ＭＴＣ端末の動作するサブバンドはセルの周波数帯域の中心（例えば、中央の６ＰＲＢ）に位置可能である。これと違い、（ｂ）に示すように、一つのサブフレームにはＭＴＣ端末の動作するサブバンドが複数個設定されてもよい。複数のサブバンドをＭＴＣ端末間のマルチプレクシングのために用いることができる。例えば、ＭＴＣ端末にそれぞれ異なったサブバンドが割り当てられたり、複数のサブバンドが同一に割り当てられてもＭＴＣ端末が異なったサブバンドを用いるように設定することができる。
【０１０３】
ＭＴＣ端末の動作するサブバンドをレガシーＰＤＣＣＨ領域ではなくデータ領域に設定することができる。例えば、ＭＴＣ端末と基地局はデータ領域で上りリンク／下りリンク信号（例えば、ＭＩＢ、ＳＩＢ−ｘ、ＭＴＣ  ＰＤＣＣＨ、ＭＴＣ  ＰＤＳＣＨ、ＭＴＣ  ＰＵＣＣＨ、ＭＴＣ  ＰＵＳＣＨ）を送受信することができる。ただし、これに限定されない。一方、ＭＴＣ端末が上りリンク信号の伝送のためのＵＬサブバンド設定と下りリンク信号の受信のためのＤＬサブバンド設定とが異なってもよい。以下、ＭＴＣ端末のサブバンド設定方案についてより詳しく説明する。
【０１０４】
１．ＭＴＣ端末のサブバンド設定
【０１０５】
ＭＴＣ端末が基地局のシステム帯域（ｂａｎｄｗｉｄｔｈ）の一部だけを通じて信号を送受信するとすれば、より低コスト（ｌｏｗ  ｃｏｓｔ）でＭＴＣ端末を具現することができる。例えば、特定セルのシステム帯域が５０ＲＢであっても、ＭＴＣ端末が６ＲＢ単位のサブバンドで信号を送受信すると、ＭＴＣ端末の複雑度が減り、低コストでＭＴＣ端末を具現することができる。
【０１０６】
以下では、説明の便宜上、１サブバンドのサイズが６ＲＢであると仮定するが、他のサイズのサブバンドが支援されてもよい。ＤＬ帯域幅（又は、ＵＬ帯域幅）がＮRBである場合（例えば、ＮRBは、帯域幅に含まれたＲＢの個数を表す。）、当該ＤＬ帯域幅（又は、ＵＬ帯域幅）は合計
【数１２】
0006434043.tif 000018
個のサブバンドを含むことができる。‘
【数１３】
0006434043.tif 000019
’は、床（ｆｌｏｏｒ）関数を表す。したがって、特定セルの帯域幅のサイズがＮRBであるとき、当該帯域幅には‘ＮRB／６’を超えない最大の整数個のサブバンドが存在する。以下、便宜上、一つのセルの帯域幅をシステム帯域幅と称することができる。帯域幅はＤＬ帯域幅又はＵＬ帯域幅を意味することができる。ＤＬ帯域幅とＵＬ帯域幅はシステム環境によって同一に設定されてもよく、異なるように設定されてもよい。
【０１０７】
一方、ＮRBが６の倍数でない場合、いずれのサブバンドにも含まれない残るＲＢが６個未満と存在し得る。例えば、いずれのサブバンドにも含まれない残るＲＢが‘ＮRB  ｍｏｄ  ６’個だけ存在し得る。このように６ＲＢよりも小さい個数の残るＲＢはＭＴＣ端末の信号送受信（例えば、後述する周波数ホッピング）に用いられなくてもよい。例えば、ＮRB＝５０である帯域幅は、それぞれが６ＲＢのサイズである６個のサブバンド及び残る２ＲＢを含むが、６ＲＢサイズの８個のサブバンドだけがＭＴＣ端末の周波数ホッピングに用いられ、残る２ＲＢは周波数ホッピングに用いられなくてもよい。
【０１０８】
図１１を参照して、本発明の実施例に係るＭＴＣサブバンド及び残るＲＢの配置方案について説明する。
【０１０９】
図１１の（ａ）に、該当するセルの帯域幅によるＰＲＢの定義を再使用する方法を示す。図１１の（ａ）を参照すると、システム帯域幅の最下位ＰＲＢから連続した６ＰＲＢ単位で一つのサブバンドが設定される。例えば、システム帯域幅の最下位ＰＲＢインデックスを０と仮定すれば、ＰＲＢ＃０乃至ＰＲＢ＃５がサブバンド＃０に設定される（本発明の他の実施例によれば、最上位ＰＲＢから連続した６ＰＲＢ単位で一つのサブバンドが設定されてもよい）。実施例（ａ）によれば、システム帯域幅によって中央６ＲＢの境界とサブバンド６ＲＢの境界とが一致しなくてもよい。
【０１１０】
図１１の（ｂ）には、周波数ホッピングに用いられない残るＲＢをシステム帯域幅の両端に均等に配置する方法を示す。例えば、システム帯域幅が５０ＲＢであり、残るＲＢが２個である場合、システム帯域幅の両端部分に、残るＲＢが一個ずつ配置されてもよい。言い換えると、残るＲＢが２ｎ個であるとき、ｎ個のＲＢをシステム帯域の最下位に配置し、他のｎ個のＲＢをシステム帯域の最上位に配置してもよい。
【０１１１】
図１１の（ｃ）には、周波数ホッピングに用いられないＲＢを、サブバンドのグループの間（例えば、連続した下位サブバンドのグループと連続した上位サブバンドのグループとの間）に配置する方案を例示する。このようにサブバンドのグループの間に配置され、周波数ホッピングに用いられないＲＢを便宜上、インターベニングＲＢ（ｉｎｔｅｒｖｅｎｉｎｇ  ＲＢ）と呼ぶことができる。インターベニングＲＢによってサブバンドを２個のサブバンドグループに分割することができる。インターベニングＲＢの位置は、システム帯域のサイズによって決定することができる。例えば、周波数ホッピングに用いられないインターベニングＲＢはシステム帯域のサイズによって中央に配置されてもよい。具体的に、５０ＲＢサイズのシステム帯域幅において周波数ホッピングに用いられない残る２ＲＢをシステム帯域の中央に配置することができる。また、４９ＲＢサイズのシステム帯域幅では、周波数ホッピングに用いられない残る１ＲＢをシステム帯域の中央に配置する。本実施例の場合、システム帯域の中央ＲＢよりも低い周波数帯域で位置する下位サブバンドの個数（例えば、４）と、中央ＲＢよりも高い周波数帯域で存在する上位サブバンドの個数（例えば、４）とが一致する場合、中心ＲＢがインターベニングＲＢに設定される例を示している。ただし、上位サブバンドの個数と下位サブバンドの個数とが異なる場合、中心ＲＢ以外の１ＲＢがインターベニングＲＢに設定されてもよい。これによって、周波数ホッピングに用いられるサブバンドを周波数領域で効率的に離隔することができる。
【０１１２】
図１１の（ｄ）には、中央（Ｃｅｎｔｅｒ）６ＲＢの境界と周波数ホッピングのためのサブバンドとの境界を一致させる方法を示す。ＭＴＣシステム情報（例えば、ＳＩＢ）の伝送又はＭＴＣページング（ｐａｇｉｎｇ）に対する周波数ホッピングが非活性化される場合、ＭＴＣシステム情報の伝送又はＭＴＣページングが中央の６ＲＢで行われてもよい。この場合、図１１の（ｄ）は、周波数ホッピングが行われるＭＴＣ  ＰＤＳＣＨのリソースとＭＴＣシステム情報（又はＭＴＣページング）のリソースとが重なることによる影響を最小化することができる。
【０１１３】
図１２に、本発明の他の実施例に係るＭＴＣサブバンド設定方案を示す。図１２の実施例は、上述した図１１の（ｂ）及び（ｃ）に基づく。
【０１１４】
図１２の（ａ）は、システム帯域幅においてＭＴＣサブバンドに属しないＲＢが偶数個である場合（例えば、２ｎ個のＲＢ）を示し、図１２の（ｂ）は、システム帯域幅においてＭＴＣサブバンドに属しないＲＢが奇数個である場合（例えば、２ｎ＋１個のＲＢ）を示している。図１２の（ａ）を参照すると、２ｎ個の残るＲＢのうち、ｎ個のＲＢはシステム帯域の最下位に配置され、他のｎ個のＲＢはシステム帯域の最上位に配置される。図１２の（ｂ）を参照すると、２ｎ＋１個の残るＲＢのうち、１個のＲＢが下位サブバンド（ＳＢ＃０〜ＳＢ＃ｋ）と上位サブバンド（ＳＢ＃ｋ＋１〜ＳＢ＃ｍ）との間に配置され（例えば、インターベニングＲＢ）、２ｎ個のＲＢはシステム帯域の最上位帯域と最下位帯域に均等に分けて配置される。全サブバンドの個数がＭ個である場合、下位サブバンドは、サブバンドインデックスがＭ／２未満であるサブバンドであり、上位サブバンドは、サブバンドインデックスがＭ／２以上であるサブバンドであってもよい。また、したがって、下位サブバンドの個数と上位サブバンドの個数とが一致する場合、中心ＲＢをインターベニングＲＢに設定することができる。
【０１１５】
上述した様々なサブバンド設定方式のいずれの方式に用いられるかによって、端末又は基地局が識別するサブバンドの位置が変わってもよい。例えば、図１１の（ｂ）方式が用いられる場合、基地局がＳＢ＃０をＭＴＣ端末に割り当てたとき、ＭＴＣ端末はＲＢ＃ｎ乃至ＲＢ＃ｎ＋５をＳＢ＃０として識別する。一方、図１１の（ｃ）方式が用いられる場合には、ＭＴＣ端末はＲＢ＃０乃至ＲＢ＃５をＳＢ＃０として識別する。
【０１１６】
例えば、ＭＴＣ端末（又は基地局）は、ＳＢインデックスによって特定される６ＲＢの位置を識別する際に、サブバンドに属しない残るＲＢがどこに配置されているかを考慮する必要がある。
【０１１７】
２．ＭＴＣ端末の周波数ホッピング
【０１１８】
一方、ＭＴＣ端末は、劣悪な伝搬環境（例えば、地下室、倉庫など）に設置されてもよく、移動性が相対的に小さい。このような劣悪な伝搬環境を克服するために、信号を反復送信する方法を考慮することができる。しかし、システム帯域のうち、ＭＴＣ端末が使用するサブバンドのチャネル状態が劣悪な場合には、信号が劣化するという問題点の他、劣悪なサブバンドで長時間信号を反復的に送受信するＭＴＣ端末のバッテリーが早期に消耗するという問題点もある。このような問題点を解決するために、信号が反復送信されるサブバンドが時間によって変更されるようにしてもよい（例えば、周波数ホッピング又は周波数ホッピングサブバンド）。サブバンドが変更されることにより、ダイバーシチ利得（ｄｉｖｅｒｓｉｔｙ  ｇａｉｎ）が発生し、反復伝送の回数を減少させることができる。したがって、周波数ホッピングは、ＭＴＣ端末の信号送受信性能を向上させ、且つＭＴＣ端末のバッテリー消耗を減少させることができる。したがって、基地局はＭＴＣ端末に、周波数ホッピングが行われるか否か、及び周波数ホッピングサブバンドに関する情報を設定することができる。ＭＴＣ信号の周波数がホップされる場合、同じサブバンド（又は帯域）内で信号が送信される周波数がホップされるのではなく、サブバンド自体が変更されて（例えば、ホップして）送信される。例えば、ＭＴＣ  ＰＤＣＣＨが、ＭＴＣ  ＰＤＳＣＨが割り当てられたＲＢを示すリソース割り当てフィールドを含む場合、当該リソース割り当てフィールドが適用されるサブバンド自体がホップされる。
【０１１９】
低コスト（Ｌｏｗ  ｃｏｓｔ）ＭＴＣ端末は基地局の一部の帯域だけを使用するので、レガシー端末とＭＴＣ端末のマルチプレクシングのために、基地局は、ＭＴＣ端末が使用し得るサブバンドの個数を設定することができる。例えば、基地局は５０ＲＢシステム帯域幅において各６ＲＢサイズの２個のサブバンドをＭＴＣ端末に割り当て、残る３８ＲＢをレガシー端末に割り当てることができる。
【０１２０】
ＭＴＣ端末に対する周波数ホッピングのためには少なくとも２個の周波数ホッピングサブバンドが要求されることから、システム帯域幅が閾値以下である場合には周波数ホッピングが支援されなくてもよい。例えば、システム帯域幅が１５ＲＢ（又は２５ＲＢ）以下である場合、周波数ホッピングが支援されなくてもよい。仮に、ＭＴＣ端末に周波数ホッピングが設定される場合、基地局は周波数ホッピングサブバンドの個数を２個又は４個に設定することができる。基地局は、ＣＳＩフィードバックなどの複雑度を考慮して周波数ホッピングサブバンドの個数を２に固定してもよい。この場合、ＭＴＣ端末は２個の周波数ホッピングサブバンドで信号を送受信することができる。本発明の一実施例によれば、下りリンクにおいて支援される周波数ホッピングサブバンドは２個又は４個であり、上りリンクにおいて支援される周波数ホッピングサブバンドは２個に設定されてもよい。
【０１２１】
周波数ホッピングサブバンドのセットは時間によって変更されてもよい。例えば、ＭＴＣ端末がサブフレーム＃ｎ及びサブフレーム＃（ｎ＋１）ではサブバンド＃１及びサブバンド＃２を周波数ホップしながら信号を受信するが、サブフレーム＃（ｎ＋２）及びサブフレーム＃（ｎ＋３）ではサブバンド＃３及びサブバンド＃４を周波数ホップしながら信号を受信するように設定することができる。
【０１２２】
一方、周波数ホッピング方式、周波数ホッピングパターン、周波数ホッピングサブバンド設定、反復伝送回数などは、ＭＴＣ端末と基地局とが送受信する信号の種類によって異なるように設定されてもよい。以下では、ＭＴＣ端末がＤＬ信号を周波数ホップしながら反復受信する方案を、各ＤＬ信号の種類別に一層詳しく説明する。
【０１２３】
２−１．ＭＴＣシステム情報
【０１２４】
本発明の一実施例によれば、ＭＴＣシステム情報の少なくとも一部がサブバンドを周波数ホップしながら反復送信されてもよい。ＭＴＣシステム情報の周波数ホッピングは基地局によって活性化設定されたり又は非活性化設定されてもよく、仮に周波数ホッピングが活性化される場合には、周波数ホッピングサブバンドに関する情報がＭＴＣ端末に提供される必要がある。
【０１２５】
ＭＴＣシステム情報は、ＭＴＣ  ＭＩＢ（ｍａｓｔｅｒ  ｉｎｆｏｒｍａｔｉｏｎ  ｂｌｏｃｋ）、ＭＴＣ  ＳＩＢ  １（ｓｙｓｔｅｍ  ｉｎｆｏｒｍａｔｉｏｎ  ｂｌｏｃｋ  ｔｙｐｅ  １）及びＭＴＣ  ＳＩＢ−ｘ（ここで、ｘ＞１）を含むことができる。ＭＴＣ  ＭＩＢ、ＭＴＣ  ＳＩＢ  １及びＭＴＣ  ＳＩＢ−ｘはそれぞれの周期で基地局によって送信される。ＭＴＣ  ＳＩＢ  １に関するスケジューリング情報はＭＴＣ  ＭＩＢで送信される。また、ＭＴＣ  ＳＩＢ−ｘに関するスケジューリング情報はＭＴＣ  ＳＩＢ  １で送信される。したがって、ＭＴＣ端末はＭＴＣ  ＭＩＢをまず受信し、ＭＴＣ  ＭＩＢに基づいてＭＴＣ  ＳＩＢ  １を受信する。続いて、ＭＴＣ端末はＭＴＣ  ＳＩＢ  １に基づいてＭＴＣ  ＳＩＢ−ｘを受信する。
【０１２６】
ＭＴＣ  ＭＩＢの場合、物理層でＭＴＣ  ＰＢＣＨにマップされ、ＭＴＣ  ＳＩＢ  １及びＭＴＣ  ＳＩＢ−ｘは物理層でＭＴＣ  ＰＤＳＣＨにマップされる（例えば、ＲＲＣシグナリング）。このように、システム情報を含むＭＴＣ  ＰＤＳＣＨはセル共通（ｃｅｌｌ−ｃｏｍｍｏｎ）の特性を有するので、個別ＭＴＣ端末のデータを送信するためのユニキャスト（ｕｎｉｃａｓｔ）ＰＤＳＣＨとは区別される。したがって、システム情報がマップされるＭＴＣ  ＰＤＳＣＨの場合、ユニキャストＰＤＳＣＨとは異なる周波数ホッピングパターンが設定されてもよく、サブバンドが異なるように設定されてもよい。
【０１２７】
基地局はＭＴＣ  ＳＩＢ（例えば、ＭＴＣ  ＳＩＢ−１、ＭＴＣ  ＳＩＢ−ｘ）の周波数ホッピングが行われるか否かをＭＴＣ端末に設定又はシグナルすることができる。例えば、基地局はＭＴＣ  ＳＩＢ−１及びＭＴＣ  ＳＩＢ−ｘの両方に対して周波数ホッピングを活性化設定してもよく、又は、いずれか一方（例えば、ＭＴＣ  ＳＩＢ−ｘ）に対してのみ周波数ホッピングを活性化設定してもよい。
【０１２８】
仮に、ＭＴＣ  ＳＩＢ−１の周波数ホッピングが行われる場合、ＭＴＣ  ＳＩＢ−１の周波数ホッピングに関する情報（例えば、ＭＴＣ  ＳＩＢ−１周波数ホッピングのパターンに関する情報、ＭＴＣ  ＳＩＢ−１の反復パターンに関する情報）をＭＩＢによって示すことができる。
【０１２９】
他の実施例において、ＭＴＣ  ＳＩＢ  １の周波数ホッピングパターンの情報はセルＩＤ及び／又はＳＦＮ（ｓｙｓｔｅｍ  ｆｒａｍｅ  ｎｕｍｂｅｒ）によって決定されてもよい。一方、ＭＴＣ  ＳＩＢ  １に対しては周波数ホッピングが常に行われ、ＭＴＣ  ＳＩＢ−ｘに対しては周波数ホッピングがＭＴＣ  ＳＩＢ１によって活性化／非活性化設定されてもよい。
【０１３０】
また、ＭＴＣ  ＳＩＢ−ｘの周波数ホッピングが設定される場合、ＭＴＣ  ＳＩＢ−ｘの周波数ホッピングに関する情報をＭＴＣ  ＳＩＢ  １で示すこともできる。例えば、ＭＴＣ  ＳＩＢ  １は、ＳＩＢ−ｘ（例えば、Ｓｙｓｔｅｍ  Ｉｎｆｏｒｍａｔｉｏｎ  ｍｅｓｓａｇｅ）の周波数ホッピングが活性化されるか否かを示す情報、ＳＩＢ−ｘが送信されるサブバンドを示す情報（例えば、サブバンドインデックス）を含むことができる。また、ＭＴＣ  ＳＩＢ  １は、ＳＩＢ−ｘの反復伝送が行われるサブフレームを特定するための情報を含んでもよい。
【０１３１】
一方、周波数ホッピングパターンは、ＳＦＮ（Ｓｙｓｔｅｍ  Ｆｒａｍｅ  Ｎｕｍｂｅｒ）の関数として定義されてもよい。例えば、ＳＩＢ−１又はＳＩＢ−ｘがどのサブバンドで送信されるかを、ＳＦＮを考慮して決定してもよい。
【０１３２】
基地局はＭＴＣ  ＳＩＢ（例えば、ＭＴＣ  ＳＩＢ−１、ＭＴＣ  ＳＩＢ−ｘ）が送信される時間／周波数リソース（例えば、サブフレームセット、サブバンド）を端末にシグナルすることができる。この時、ユニキャストＭＴＣ  ＰＤＳＣＨの伝送のためのリソースとＭＴＣ  ＳＩＢの伝送のためのリソースとが衝突するサブフレームでは、ＭＴＣ端末は、ユニキャストＭＴＣ  ＰＤＳＣＨが送信されないことを仮定し、ＭＴＣ  ＳＩＢだけを受信することもできる。
【０１３３】
２−２．ＭＴＣランダムアクセスメッセージ
【０１３４】
ＭＴＣ端末に対するランダムアクセスメッセージ、例えば、ＭＴＣ  ＲＡＲ（ｒａｎｄｏｍ  ａｃｃｅｓｓ  ｒｅｓｐｏｎｓｅ）は、ＭＴＣ端末がランダムアクセスプリアンブルを送信した後、一定期間の時間区間で基地局によって送信される。以下では、説明の便宜上、ランダムアクセスメッセージがＭＴＣ  ＲＡＲであるとして説明するが、これに限定されない。
【０１３５】
基地局はＭＴＣ端末に、ＭＴＣ  ＲＡＲの周波数ホッピングを活性化／非活性化設定することができる（例えば、ＲＲＣシグナリング）。
【０１３６】
ＭＴＣ  ＲＡＲのために設定された周波数ホッピングサブバンドのセットは、ＭＴＣ  ＰＤＳＣＨのために設定された周波数ホッピングサブバンドのセットと同一であってもよい。ＭＴＣ  ＲＡＲがユニキャストＭＴＣ  ＰＤＳＣＨと同じ周波数ホッピングサブバンドで送信される場合、ＭＴＣ  ＲＡＲとユニキャストＭＴＣ  ＰＤＳＣＨ間の衝突が発生しうる。例えば、基地局はＭＴＣ  ＵＥ１のＭＴＣ  ＲＡＲ又はＭＴＣ  ＵＥ２のＭＴＣ  ＰＤＳＣＨとが衝突する場合、いずれか一方だけを送信してもよい。仮に、基地局がＭＴＣ  ＲＡＲとＭＴＣ  ＰＤＳＣＨのいずれか一方だけを送信し、他方をドロップ（ｄｒｏｐ）する場合、ドロップされた信号の受信を期待するＭＴＣ端末は、ＭＴＣ  ＲＡＲ／ＭＴＣ  ＰＤＳＣＨの伝送／ドロップが認知できず、ＭＴＣ  ＲＡＲ又はＭＴＣ  ＰＤＳＣＨの受信性能に劣化が発生する。
【０１３７】
このため、基地局は、ＭＴＣ  ＲＡＲの周波数ホッピングのためのサブバンドとユニキャストＭＴＣ  ＰＤＳＣＨの周波数ホッピングのための周波数ホッピングサブバンドとを異なるように設定することができる。例えば、基地局はＭＴＣ  ＲＡＲとＭＴＣ  ＰＤＳＣＨのそれぞれに対する周波数ホッピングサブバンドのセット自体を異なるように設定してもよく、又は、同じ周波数ホッピングサブバンドのセットを設定するとしても周波数ホッピングのパターンを異なるように設定してもよい。ＭＴＣ  ＲＡ−ＲＮＴＩでマスク（又はスクランブル）されたＭＴＣ  ＰＤＣＣＨによってスケジュールされるＭＴＣ  ＰＤＳＣＨ（すなわち、ＲＡＲ）と、ＭＴＣ  Ｃ−ＲＮＴＩでマスクされたＭＴＣ  ＰＤＣＣＨによってスケジュールされるＭＴＣ  ＰＤＳＣＨ（すなわち、ＲＡＲを除いたユニキャストデータ）とが異なる周波数ホッピングパターンを有するように設定されてもよい。
【０１３８】
基地局は、ＭＴＣ  ＲＡＲが送信される時間／周波数リソース（例えば、サブフレームセット、サブバンド）を端末にシグナルすることができる。このとき、ユニキャストＭＴＣ  ＰＤＳＣＨの伝送のためのリソースとＭＴＣ  ＲＡＲの伝送のためのリソースとが衝突するサブフレームでは、ＭＴＣ端末は、ユニキャストＭＴＣ  ＰＤＳＣＨが送信されないことを仮定し、ＭＴＣ  ＲＡＲだけを受信してもよい。
【０１３９】
２−３．ＭＴＣ  ＰＤＣＣＨ／ＰＤＳＣＨ
【０１４０】
ＭＴＣ  ＰＤＳＣＨは、ＭＴＣ  ＰＤＣＣＨに含まれたＤＣＩを用いてデコードすることができる。ＭＴＣ  ＰＤＣＣＨはＭＴＣ  ＰＤＳＣＨをスケジュールする。ＭＴＣ  ＰＤＳＣＨが搬送する情報がシステム情報か、ＲＡＲか、又は一般的なユニキャストデータかによって、ＭＴＣ  ＰＤＣＣＨをスクランブルするＲＮＴＩを決定することができる（例えば、ＳＩ−ＲＮＴＩ、ＲＡ−ＲＮＴＩ、Ｃ−ＲＮＴＩ）。
【０１４１】
ＭＴＣ  ＰＤＣＣＨ及び／又はＭＴＣ  ＰＤＳＣＨは、周波数ホッピングに基づいて反復送信することができる。基地局は、ＭＴＣ  ＰＤＣＣＨ及び／又はＭＴＣ  ＰＤＳＣＨの周波数ホッピングの活性化／非活性化をＭＴＣ端末に設定することができる（例えば、ＲＲＣシグナリング）。一方、ＭＴＣ  ＰＤＣＣＨは、ＭＴＣ  ＰＤＳＣＨの周波数ホッピングが行われるか否かを示す情報を含むことができる。この場合、ＭＴＣ  ＰＤＳＣＨの周波数ホッピングは、上位層によってＭＴＣ  ＰＤＳＣＨ周波数ホッピングが活性化されると同時に、ＭＴＣ  ＰＤＣＣＨがＭＴＣ  ＰＤＳＣＨの周波数ホッピングを示す場合に行われてもよい。
【０１４２】
一つのＭＴＣ端末のためのＭＴＣ  ＰＤＣＣＨとＭＴＣ  ＰＤＳＣＨとが同一サブフレームで送信されないように設定してもよい。例えば、ＭＴＣ  ＰＤＣＣＨの反復伝送がまず行われた後、ＭＴＣ  ＰＤＳＣＨの反復伝送が行われるようにすることができる。ＭＴＣ  ＰＤＣＣＨが送信されるサブフレームは、ＭＴＣ  ＰＤＳＣＨが送信されるサブフレームに先行してもよい。
【０１４３】
ＭＴＣ  ＰＤＣＣＨ及びＭＴＣ  ＰＤＳＣＨは異なった周波数ホッピングサブバンドで受信されてもよい。以下では、ＭＴＣ  ＰＤＣＣＨの周波数ホッピングサブバンドと当該ＭＴＣ  ＰＤＣＣＨがスケジュールするＭＴＣ  ＰＤＳＣＨの周波数ホッピングサブバンドとを互いに異なるように構成する様々な実施例について説明する。
【０１４４】
（i）ＭＴＣ  ＰＤＣＣＨとＭＴＣ  ＰＤＳＣＨとが同一周波数ホッピングパターンを使用する方法：本発明の一実施例によれば、毎反復伝送において周波数ホッピングサブバンドを決定する周波数ホッピングパターン（例えば、数式）自体がＭＴＣ  ＰＤＣＣＨとＭＴＣ  ＰＤＳＣＨに対して同一に設定されてもよい。一方、基地局は、反復伝送が始まるサブバンドをＭＴＣ端末にシグナルすることができる（例えば、ＲＲＣシグナリング）。例えば、基地局は、ＭＴＣ端末がモニタリングすべきＭＴＣ  ＰＤＣＣＨ又はＭＴＣ  ＰＤＳＣＨの最初の伝送サブバンドをＭＴＣ端末にシグナルすることができる。一実施例によれば、基地局は、ＳＩＢなどのブロードキャスト情報や、ＳＦＮ及び／又はＵＥ  ＩＤなどを用いて、最初に伝送が発生するサブバンドを示すことができるが、これに限定されない。一方、ＭＴＣ  ＰＤＣＣＨとＭＴＣ  ＰＤＳＣＨとが同一周波数ホッピングパターン（例えば、同じ周波数ホッピング数式）を有するが、異なったサブバンドで受信されるようにするためには、ＭＴＣ  ＰＤＣＣＨとＭＴＣ  ＰＤＳＣＨ間にサブバンドオフセットを設定してもよい。例えば、ＭＴＣ端末に総４個のＳＢ＃１〜４が設定され、ＭＴＣ  ＰＤＣＣＨがＳＢ＃１、ＳＢ＃３、ＳＢ＃２、ＳＢ＃４で送信され、サブバンドオフセットが１である場合、ＭＴＣ  ＰＤＳＣＨがＳＢ＃２、ＳＢ＃４、ＳＢ＃３、ＳＢ＃１で送信されてもよい。基地局は、このようなサブバンドオフセットの大きさ、周波数ホッピングパターンを決定するために必要なパラメータを、ＭＴＣ端末にシグナルすることができる。
【０１４５】
（ii）ＭＴＣ  ＰＤＣＣＨでＭＴＣ  ＰＤＳＣＨのサブバンドを示す方法：ＭＴＣ  ＰＤＣＣＨは、周波数ホップされるＭＴＣ  ＰＤＳＣＨのサブバンドに関する情報を示すことができる。例えば、ＭＴＣ  ＰＤＳＣＨの周波数ホッピングサブバンドが２個であれば、ＭＴＣ  ＰＤＣＣＨがＭＴＣ  ＰＤＳＣＨ伝送が始まるサブバンドを示し、よって、毎Ｙ個のサブフレームごとにサブバンドをホップしながらＭＴＣ  ＰＤＳＣＨを受信することができる。ＭＴＣ  ＰＤＣＣＨの周波数ホッピングパターンは、上位層シグナリング（例えば、ＳＩＢ）、ＳＦＮ、ＵＥ  ＩＤ及び／又はそれらの組み合わせによって示されてもよい。また、他のＭＴＣ  ＰＤＳＣＨ設定方法によれば、ＭＴＣ  ＰＤＳＣＨのサブバンドはＭＴＣ  ＰＤＣＣＨのサブバンドを基準に設定されてもよい。例えば、ＭＴＣ  ＰＤＳＣＨの伝送は、ＭＴＣ  ＰＤＣＣＨの反復伝送が始まったり終了したサブバンドで開始されてもよい。
【０１４６】
（iii）ＭＴＣ  ＰＤＣＣＨとＭＴＣ  ＰＤＳＣＨに別個の周波数ホッピングパターンを設定する方法：例えば、周波数ホッピングサブバンドが２個であれば、ＭＴＣ端末は、第１周波数ホッピングパターンに基づいて毎Ｙ１サブフレームごとにＭＴＣ  ＰＤＣＣＨを受信し、第２周波数ホッピングパターンに基づいて毎Ｙ２サブフレームごとにＭＴＣ  ＰＤＳＣＨを受信することができる。この時、周波数ホッピングパターン又は周波数ホッピングパターンを決定するためのパラメータがＭＴＣ端末にシグナルされてもよい。例えば、ＭＴＣ  ＰＤＣＣＨの周波数ホッピングパターンが上位層シグナリング（例えば、ＳＩＢ）、ＳＦＮ、ＵＥ  ＩＤ及び／又はそれらの組み合わせによって示されてもよい。
【０１４７】
３．ＭＴＣ端末に対する周波数ホッピングが非活性化される場合
【０１４８】
ＭＴＣ  ＳＩＢ、ＭＴＣページングなどの周波数ホッピングが非活性化され、中央の６ＲＢ又は特定のサブバンドで送信されてもよい。この場合、ＭＴＣ  ＳＩＢ、ＭＴＣページングなどのリソースがユニキャストＭＴＣ  ＰＤＳＣＨのリソースと重なる（例えば、衝突する）ことがある。このとき、ＭＴＣ端末はＭＴＣ  ＳＩＢ、ＭＴＣページングなどの時間−周波数リソースに関する情報を事前設定によって知っているので、ＭＴＣ端末はユニキャストＭＴＣ  ＰＤＳＣＨが送信されないこと（ｄｒｏｐ）を仮定し、ＭＴＣ  ＳＩＢ／ＭＴＣページングを受信してもよい。
【０１４９】
以上の説明では便宜のために下りリンクを中心に説明したが、上述した実施例を上りリンク、例えば、ＭＴＣ  ＰＵＣＣＨ（例えば、ＡＣＫ／ＮＡＣＫ、ＣＳＩ）、ＰＵＳＣＨ又は上りリンクＲＳの送信に適用してもよい。
【０１５０】
図１３に、本発明の一実施例に係るＭＴＣ信号の送受信方法を例示する。上述した説明と重複する説明は省略する。
【０１５１】
図１３を参照すると、ＭＴＣ端末は下りリンク帯域に含まれた複数のサブバンドに対する周波数ホッピング情報を受信する（Ｓ１３０５）。
【０１５２】
ＭＴＣ端末は、周波数ホッピング情報に基づいて、下りリンク信号をそれぞれ別個のサブバンドで反復受信する（Ｓ１３１０）。
【０１５３】
下りリンク帯域は、それぞれが６ＲＢ（ｒｅｓｏｕｒｃｅ  ｂｌｏｃｋ）サイズに設定された
【数１４】
0006434043.tif 000020
個のサブバンドを含むことができる。‘ＮRB’は下りリンク帯域のサイズ、‘
【数１５】
0006434043.tif 000021
’は床（ｆｌｏｏｒ）関数を表す。下りリンク帯域のうち、
【数１６】
0006434043.tif 000022
個のサブバンドに属しない６ＲＢサイズ未満の残る帯域が存在する場合、下りリンク帯域の最下位インデックスＲＢ、最上位インデックスＲＢ、及びサブバンドグループの間に位置しているインターベニング（ｉｎｔｅｒｖｅｎｉｎｇ）ＲＢの少なくとも一つを残る帯域に設定することができる。残る帯域が偶数個のＲＢを含む場合、偶数個のＲＢを、下りリンク帯域の最下位帯域と最上位帯域に均等に分けて配置することができる。インターベニングＲＢは、
【数１７】
0006434043.tif 000023
個のサブバンドのうち、連続する下位サブバンドのグループと連続する上位サブバンドのグループとの間に配置することができる。インターベニングＲＢの位置は、システム帯域によって決定することができる。インターベニングＲＢは、残る帯域のサイズが所定の個数である場合に存在し得る。例えば、インターベニングＲＢは、残る帯域のサイズが奇数個のＲＢである場合に存在し得る。インターベニングＲＢは１個であってもよい。上位サブバンドのグループと下位サブバンドのグループが同数のサブバンドを含む場合、インターベニングＲＢはシステム帯域の中心１ＲＢであってもよい。
【０１５４】
【数１８】
0006434043.tif 000024
個のサブバンドのうち、上記下りリンク信号が受信される周波数ホッピングサブバンドの個数は２又は４に設定されてもよい。
【０１５５】
下りリンク信号がＳＩＢ  １（ｓｙｓｔｅｍ  ｉｎｆｏｒｍａｔｉｏｎ  ｂｌｏｃｋ  ｔｙｐｅ  １）以外のＳＩＢ−ｘである場合（ｘ＞１）、ＳＩＢ−ｘに対する周波数ホッピング情報をＳＩＢ  １を通じて受信することができる。ＳＩＢ  １は、周波数ホッピングによって反復受信することができる。ＳＩＢ  １に含まれた周波数ホッピング情報は、ＳＩＢ−ｘに対する周波数ホッピングが活性化されたか否かを示す情報、及び上記ＳＩＢ−ｘが送信されるサブバンドを示す情報を含むことができる。
【０１５６】
ＭＴＣ端末は、ＭＴＣ  ＰＤＣＣＨ（ｐｈｙｓｉｃａｌ  ｄｏｗｎｌｉｎｋ  ｃｏｎｔｒｏｌ  ｃｈａｎｎｅｌ）を反復受信し、ＭＴＣ  ＰＤＣＣＨによってスケジュールされたＭＴＣ  ＰＤＳＣＨ（ｐｈｙｓｉｃａｌ  ｄｏｗｎｌｉｎｋ  ｓｈａｒｅｄ  ｃｈａｎｎｅｌ）を反復受信することができる。ＭＴＣ  ＰＤＣＣＨとＭＴＣ  ＰＤＳＣＨをそれぞれ別個のサブフレーム及びそれぞれ別個の周波数ホッピングサブバンドで受信することができる。ＭＴＣ  ＰＤＣＣＨの反復受信が始まる初期周波数ホッピングサブバンドは基地局で設定することができる。ＭＴＣ  ＰＤＳＣＨが受信されるサブバンドは、ＭＴＣ  ＰＤＣＣＨが受信されるサブバンドに基づいて決定することができる。
【０１５７】
図１４には、本発明の実施例に適用可能な基地局及び端末を例示する。
【０１５８】
図１４を参照すると、無線通信システムは、基地局（ＢＳ）１１０及び端末（ＵＥ）１２０を含む。下りリンクで、送信機は基地局１１０の一部であり、受信機は端末１２０の一部である。上りリンクで、送信機は端末１２０の一部であり、受信機は基地局１１０の一部である。基地局１１０はプロセッサ１１２、メモリ１１４及び無線周波（Ｒａｄｉｏ  Ｆｒｅｑｕｅｎｃｙ；ＲＦ）ユニット１１６を含む。プロセッサ１１２は、本発明で提案した手順及び／又は方法を具現するように構成することができる。メモリ１１４はプロセッサ１１２と接続し、プロセッサ１１２の動作に関連した様々な情報を保存する。ＲＦユニット１１６はプロセッサ１１２と接続され、無線信号を送信及び／又は受信する。端末１２０は、プロセッサ１２２、メモリ１２４及びＲＦユニット１２６を含む。プロセッサ１２２は、本発明で提案した手順及び／又は方法を具現するように構成することができる。メモリ１２４はプロセッサ１２２と接続され、プロセッサ１２２の動作に関連した様々な情報を保存する。ＲＦユニット１２６はプロセッサ１２２と接続され、無線信号を送信及び／又は受信する。基地局１１０及び／又は端末１２０は単一アンテナ又は多重アンテナを有することができる。
【０１５９】
以上説明した実施例は、本発明の構成要素と特徴を所定の形態で結合したものである。各構成要素又は特徴は、別の明示的言及がない限り、選択的なものとして考慮しなければならない。各構成要素又は特徴を他の構成要素又は特徴と結合しない形態で実施してもよく、一部の構成要素及び／又は特徴を結合して本発明の実施例を構成してもよい。本発明の実施例で説明する動作の順序を変更してもよい。ある実施例の一部の構成や特徴を他の実施例に含めてもよく、又は他の実施例の対応する構成又は特徴に置き換えてもよい。特許請求の範囲において明示的な引用関係にない請求項を結合して実施例を構成してもよく、出願後の補正によって新しい請求項として含めてもよいことは自明である。
【０１６０】
本発明の実施例は主に端末と基地局間のデータ送受信関係を中心に説明されてきた。この文書で基地局によって行われるとした特定動作は、場合によってはその上位ノード（ｕｐｐｅｒ  ｎｏｄｅ）によって行われてもよい。すなわち、基地局を含む複数のネットワークノード（ｎｅｔｗｏｒｋ  ｎｏｄｅ）からなるネットワークで端末との通信のために行われる様々な動作を基地局又は基地局以外のネットワークノードで行うことは自明である。‘基地局’は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（Ａｃｃｅｓｓ  Ｐｏｉｎｔ）などの用語に代替してもよい。また、‘端末’は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代替してもよい。
【０１６１】
本発明に係る実施例は、様々な手段、例えば、ハードウェア、ファームウェア（ｆｉｒｍｗａｒｅ）、ソフトウェア、又はそれらの結合などによって具現することができる。ハードウェアによる具現の場合、本発明の一実施例は１つ又はそれ以上のＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰ（ｄｉｇｉｔａｌ  ｓｉｇｎａｌ  ｐｒｏｃｅｓｓｏｒ）、ＤＳＰＤ（ｄｉｇｉｔａｌ  ｓｉｇｎａｌ  ｐｒｏｃｅｓｓｉｎｇ  ｄｅｖｉｃｅ）、ＰＬＤ（ｐｒｏｇｒａｍｍａｂｌｅ  ｌｏｇｉｃ  ｄｅｖｉｃｅ）、ＦＰＧＡ（ｆｉｅｌｄ  ｐｒｏｇｒａｍｍａｂｌｅ  ｇａｔｅ  ａｒｒａｙ）、プロセッサ、コントローラ、マイクロコントローラ、マイクロプロセッサなどによって具現することができる。
【０１６２】
ファームウェア又はソフトウェアによる具現の場合、本発明の一実施例は、以上説明した機能又は動作を行うモジュール、手順、関数などの形態として具現することができる。ソフトウェアコードはメモリユニットに記憶されてプロセッサによって駆動されてもよい。メモリユニットは、プロセッサの内部又は外部に設けられ、既に公知の様々な手段によって上記プロセッサとデータを交換することができる。
【０１６３】
当業者にとって本発明の特徴から逸脱しない範囲で本発明を他の特定の形態に具体化可能であることは自明である。したがって、上記の詳細な説明はいずれの面においても制限的に解釈してはならず、例示的なものとして考慮しなければならない。本発明の範囲は、添付する請求項の合理的解釈によって決定する必要があり、本発明の均等範囲内における変更はいずれも本発明の範囲に含まれる。
【産業上の利用可能性】
【０１６４】
本発明は、無線通信システムにおいてＭＴＣが支援される場合に通信を行う方法及び装置に適用可能である。
【図１】
0006434043.tif 000038
【図２】
0006434043.tif 000039
【図３】
0006434043.tif 000040
【図４】
0006434043.tif 000041
【図５】
0006434043.tif 000042
【図６】
0006434043.tif 000043
【図７】
0006434043.tif 000044
【図８】
0006434043.tif 000045
【図９】
0006434043.tif 000046
【図１０】
0006434043.tif 000047
【図１１】
0006434043.tif 000048
【図１２】
0006434043.tif 000049
【図１３】
0006434043.tif 000050
【図１４】
0006434043.tif 000051